(57)【特許請求の範囲】
【請求項１】
少なくとも１つの情報を伝送する装置（１７８）であって、前記装置（１７８）が、移動する担体（１１２）に結合されたバーコード（１１０）を取り込むための少なくとも１つのバーコードリーダ（１２４）を備え、前記バーコードリーダ（１２４）が、前記バーコード（１１０）の情報モジュール（１１６）の少なくとも一次元取り込みのための少なくとも１つの光学式バーコード検出器（１４０）を備え、前記バーコードリーダ（１２４）が、さらに前記バーコード（１１０）のクロックトラック（１２８）のクロックトラックモジュール（１３０）を取り込むための少なくとも１つの光学式クロックトラック検出器（１４２）および前記バーコード（１１０）から少なくとも１つの基準情報を取り込むための少なくとも１つの光学式基準検出器（１４４）を備え、前記バーコードリーダ（１２４）が、前記クロックトラック検出器（１４２）からの少なくとも１つの信号および前記基準検出器（１４４）からの少なくとも１つの信号から、前記担体（１１２）の移動方向（１２０）を割り出すように構成され、前記装置（１７８）が、さらに少なくとも１つのバーコード（１１０）を有する少なくとも１つの担体（１１２）を備え、前記バーコード（１１０）が、複数の情報モジュール（１１６）および少なくとも１つのクロックトラック（１２８）を備え、前記クロックトラック（１２８）が、複数の連続クロックトラックモジュール（１３０）を有し、前記複数の連続クロックトラックモジュール（１３０）が、前記バーコード（１１０）において直線のライン、または湾曲したラインに沿って連続的に配置され、前記バーコード（１１０）の情報モジュール（１１６）として同時に機能しないが、前記バーコード（１１０）が前記バーコードリーダ（１２４）に対して移動する時に、クロックとしてだけ機能し、前記バーコード（１１０）が、さらに少なくとも１つの基準トラック（１３２）を有し、前記基準トラック（１３２）が、第２のクロックトラック（１２８）として具現化され、前記基準トラック（１３２）が、前記クロックトラック（１２８）と同じ周期性を有し、前記クロックトラック（１２８）と比べて位相シフトを有しており、前記バーコード（１１０）が、二次元バーコードであり、前記バーコード（１１０）のモジュール（１１４）が、前記移動方向（１２０）のモジュール高さ、および前記移動方向（１２０）に対して垂直のモジュール幅を有し、前記モジュール高さが、前記モジュール幅を超過する、装置（１７８）。
【請求項２】
前記バーコードリーダ（１２４）が、前記クロックトラック検出器（１４２）からの前記信号における前記クロックトラック（１２８）に起因する少なくとも１つの信号変化を取り込むように構成される請求項１記載の装置（１７８）。
【請求項３】
前記バーコードリーダ（１２４）が、前記クロックトラック検出器（１４２）からの前記信号における前記クロックトラック（１２８）に起因するポジティブまたはネガティブエッジ（１５４、１５６）を取り込むように構成される請求項１記載の装置（１７８）。
【請求項４】
前記バーコードリーダ（１２４）が、前記クロックトラック検出器（１４２）により取り込まれる信号変化のサイン、および前記基準検出器（１４４）からの信号の絶対値から前記移動方向（１２０）を割り出すように構成される請求項１〜３のいずれか１項に記載の装置（１７８）。
【請求項５】
前記バーコードリーダ（１２４）が、前記クロックトラック検出器（１４２）により取り込まれる信号変化のサイン、および前記基準検出器（１４４）から同時に発生する信号の絶対値から前記移動方向（１２０）を割り出すように構成される請求項１〜３のいずれか１項に記載の装置（１７８）。
【請求項６】
前記バーコードリーダ（１２４）が、
前記クロックトラック検出器（１４２）からの前記信号においてネガティブエッジ（１５６）が識別され、前記基準検出器（１４４）からの前記信号において第１の信号レベルが識別される場合、または、前記クロックトラック検出器（１４２）からの前記信号においてポジティブエッジ（１５４）が識別され、前記基準検出器（１４４）からの前記信号において第２の信号レベルが識別される場合、第１の移動方向（１２０）を割り出すように構成され、および
前記クロックトラック検出器（１４２）からの前記信号においてポジティブエッジ（１５４）が識別され、前記基準検出器（１４４）からの前記信号において前記第１の信号レベルが識別される場合、または、前記クロックトラック検出器（１４２）からの前記信号においてネガティブエッジ（１５６）が識別され、前記基準検出器（１４４）からの前記信号において前記第２の信号レベルが識別される場合、前記第１の移動方向（１２０）とは反対の方向の第２の移動方向（１２０）を割り出すように構成される請求項４または５記載の装置（１７８）。
【請求項７】
さらにデータ記憶装置（１６０）を備え、前記バーコードリーダ（１２４）が、前記バーコード（１１０）の横列（１２６）に含まれる情報を読み出し、それぞれ、前記横列（１２６）に対応するアドレスカウンタ（１６２）とともに、前記データ記憶装置（１６０）に保存するように構成され、前記バーコードリーダ（１２４）が、識別された移動方向（１２０）に従って、前記アドレスカウンタ（１６２）をインクリメンタルに増加させまたは減少させるように構成される請求項１〜６のいずれか１項に記載の装置（１７８）。
【請求項８】
前記光学式クロックトラック検出器（１４２）が、前記バーコード検出器（１４０）の一部である請求項１〜７のいずれか１項に記載の装置（１７８）。
【請求項９】
前記基準検出器（１４４）が、前記移動方向（１２０）に対して垂直な方向において、前記クロックトラック検出器（１４２）の隣に配置され、および／または
前記基準検出器（１４４）が、前記移動方向（１２０）に対して平行な方向において、前記クロックトラック検出器（１４２）に対して、オフセット（１８０）だけオフセットして配置される方法で、
前記基準検出器（１４４）が、前記クロックトラック検出器（１４２）に対して配置される請求項１〜８のいずれか１項に記載の装置（１７８）。
【請求項１０】
前記オフセット（１８０）が、前記バーコード（１１０）のモジュール（１１４）のモジュール高さの等倍数からずれて配置される請求項９記載の装置（１７８）。
【請求項１１】
少なくとも１つの光学センサエレメント（１３８）を備え、前記クロックトラック検出器（１４２）および前記基準検出器（１４４）が、前記光学センサエレメント（１３８）を使用するように構成される請求項１〜１０のいずれか１項に記載の装置（１７８）。
【請求項１２】
前記少なくとも１つの光学センサエレメント（１３８）が、横一列のセンサ（１８６）である請求項１１記載の装置（１７８）。
【請求項１３】
光学的な前記基準情報が、
前記バーコード（１１０）の基準トラック（１３２）からの光学情報、および
前記クロックトラック検出器（１４２）により読み出される前記クロックトラック（１２８）からの現在の光学情報から所定のオフセット（１８０）の位置にある、前記バーコード（１１０）の前記クロックトラック（１２８）からの光学情報
から選択される請求項１〜１２のいずれか１項に記載の装置（１７８）。
【請求項１４】
前記所定のオフセット（１８０）が、前記クロックトラック（１２８）のモジュール高さの等倍数からずれるオフセット（１８０）である請求項１３記載の装置（１７８）。
【請求項１５】
さらに前記担体（１１２）を受ける受容部（２２４）を備え、前記受容部（２２４）が、前記バーコードリーダ（１２４）に対して前記担体（１１２）が移動できるように構成され、前記バーコードリーダ（１２４）が、前記受容部（２２４）で前記担体（１１２）が移動する間、前記バーコードリーダ（１２４）によって前記バーコード（１１０）を読み出すことができるように構成される請求項１〜１４のいずれか１項に記載の装置（１７８）。
【請求項１６】
前記クロックトラック（１２８）が、複数の周期的に交替するクロックトラックモジュール（１３０）を有し、前記交替するクロックトラックモジュール（１３０）が、前記クロックトラック検出器（１４２）を通過する時に、前記クロックトラック検出器（１４２）において、少なくとも２つの異なる信号レベルを交互に生成するように構成される請求項１〜１５のいずれか１項に記載の装置（１７８）。
【請求項１７】
前記基準トラック（１３２）が、前記移動方向（１２０）に対して平行に配置されている請求項１〜１６のいずれか１項に記載の装置（１７８）。
【請求項１８】
前記基準トラック（１３２）が、複数の周期的に交替する基準トラックモジュール（１３４）を有し、前記交替する基準トラックモジュール（１３４）が、前記基準検出器（１４４）を通過する時、前記基準検出器（１４４）において少なくとも２つの異なる信号レベルを交互に生成するように構成され、前記基準トラック（１３２）の周期性が、前記クロックトラック（１２８）の周期性と比べて位相シフトしている請求項１〜１７のいずれか１項に記載の装置（１７８）。
【請求項１９】
前記基準トラック（１３２）が、前記クロックトラック（１２８）に対して平行に配列されている請求項１〜１８のいずれか１項に記載の装置（１７８）。
【請求項２０】
前記モジュール高さが、前記モジュール幅の少なくとも１．２倍を超過する請求項１〜１９のいずれか１項に記載の装置（１７８）。
【請求項２１】
前記モジュール高さが、前記モジュール幅の少なくとも１．５倍を超過する請求項１〜１９のいずれか１項に記載の装置（１７８）。
【請求項２２】
複数の情報モジュール（１１６）を備えたバーコード（１１０）であって、前記バーコード（１１０）がさらに、少なくとも１つのバーコードリーダ（１２４）により、前記情報モジュール（１１６）の読み出しを刻時するクロックトラック（１２８）を備え、移動方向（１２０）において、前記バーコード（１１０）と前記バーコードリーダ（１２４）の間に相対移動が存在し、前記バーコード（１１０）がさらに、前記クロックトラック（１２８）とは別に具現化される少なくとも１つの基準トラック（１３２）を備え、前記基準トラック（１３２）が、前記クロックトラック（１２８）と比べて位相オフセットを有し、前記クロックトラック（１２８）が、複数の連続クロックトラックモジュール（１３０）を有し、前記複数の連続クロックトラックモジュール（１３０）が、前記バーコード（１１０）において直線のライン、または湾曲したラインに沿って連続的に配置され、前記バーコード（１１０）の情報モジュール（１１６）として同時に機能しないが、前記バーコード（１１０）が前記バーコードリーダ（１２４）に対して移動する時に、クロックとしてだけ機能し、前記バーコード（１１０）が、さらに少なくとも１つの基準トラック（１３２）を有し、前記基準トラック（１３２）が、第２のクロックトラック（１２８）として具現化され、前記基準トラック（１３２）が、前記クロックトラック（１２８）と同じ周期性を有し、前記クロックトラック（１２８）と比べて位相シフトを有しており、前記バーコード（１１０）が、二次元バーコードであり、前記バーコード（１１０）のモジュール（１１４）が、前記移動方向（１２０）のモジュール高さ、および前記移動方向（１２０）に対して垂直のモジュール幅を有し、前記モジュール高さが、前記モジュール幅を超過する、バーコード（１１０）。
【請求項２３】
少なくとも１つの消耗品特有の情報を伝送する方法であって、請求項１〜２１のいずれか１項に記載の装置（１７８）を用いて、少なくとも１つの医療消耗品（２１８）から、前記医療消耗品（２１８）と相互作用する医療機器へ前記消耗品特有の情報を伝送する工程を備える方法。
【請求項２４】
前記医療機器が、医療測定機器（２１６）および／または治療機器である請求項２３記載の方法。
【請求項２５】
移動する担体（１１２）に結合された光学式バーコード（１１０）を取り込む方法であって、前記バーコード（１１０）の情報モジュール（１１６）が、少なくとも一次元的に取り込まれ、少なくとも１つのクロックトラック検出器（１４２）が、前記バーコード（１１０）のクロックトラック（１２８）のクロックトラックモジュール（１３０）を取り込むために使用され、さらに、前記バーコード（１１０）からの少なくとも１つの基準情報が、少なくとも１つの基準検出器（１４４）によって取り込まれ、前記担体（１１２）の移動方向（１２０）が、前記クロックトラック検出器（１４２）からの少なくとも１つの信号および前記基準検出器（１４４）からの少なくとも１つの信号から割り出され、前記クロックトラック（１２８）が、複数の連続クロックトラックモジュール（１３０）を有し、前記複数の連続クロックトラックモジュール（１３０）が、前記バーコード（１１０）において直線のライン、または湾曲したラインに沿って連続的に配置され、前記バーコード（１１０）の情報モジュール（１１６）として同時に機能しないが、前記バーコード（１１０）が前記バーコードリーダ（１２４）に対して移動する時に、クロックとしてだけ機能し、前記バーコード（１１０）が、さらに少なくとも１つの基準トラック（１３２）を有し、前記基準トラック（１３２）が、第２のクロックトラック（１２８）として具現化され、前記基準トラック（１３２）が、前記クロックトラック（１２８）と同じ周期性を有し、前記クロックトラック（１２８）と比べて位相シフトを有しており、前記バーコード（１１０）が、二次元バーコードであり、前記バーコード（１１０）のモジュール（１１４）が、前記移動方向（１２０）のモジュール高さ、および前記移動方向（１２０）に対して垂直のモジュール幅を有し、前記モジュール高さが、前記モジュール幅を超過する、方法。
【発明の詳細な説明】
【技術分野】
【０００１】
本発明は、移動する担体に接続された光学式バーコードを取り込むバーコードリーダに関する。本発明は、さらに、本発明に関するバーコードリーダおよび光学式バーコードを有する担体を備え、少なくとも１つの情報を伝送する装置に関する。本発明は、さらに、バーコードに関し、特に消耗品にマーキングするバーコードに関し、さらに詳細には、本発明に関する装置で使用するための分析用テストエレメント、および消耗品の特定情報を医療消耗品から医療機器に伝送する装置の使用に関する。最後に、本発明は、移動する担体に接続された光学式バーコードを取り込む方法に関する。そのような装置および方法は、たとえばテストストリップ、ランセット、テストエレメントまたは同様の医療消耗品などの医療消耗品から、たとえば体液の１つまたは２つ以上の検体を検出するように構成された医療機器などの医療機器に、消耗品の特定情報を伝送するために、特に、医療診断の分野で使用できる。しかし、原則として、本発明の他の応用分野でも実施可能である。
【背景技術】
【０００２】
特定の製品を識別する目的で、そうでなければデータ保存、特に、少量の情報をデータ保存する目的で、先行技術は、バーコード、たとえば一次元または二次元バーコードの使用を広く開示している。例として、たとえば適当な印刷技術そうでなければ他の技術、たとえばレーザ技術によって、識別され、またはマーキングされる製品に直接適用されるバーコードが開示されている。しかし、代わりとして、またはそれに追加で、バーコードは、適当な接着技術、たとえばバーコードラベルによって、分離して適用できる。
【０００３】
医療消耗品は、重要な例示の実施形態であり、本発明は、特に、それに関連し得るが、本発明はそれに限定されない。そのような医療消耗品は、たとえば医療診断において使用され、およびたとえば使い捨て品として具現化される。そのような消耗品の例として、ユーザの皮膚領域に刺傷を形成し、特にユーザの体液のサンプルを生じさせる目的のためのランセットがある。しかし、代わりとして、またはそれに加えて、消耗品は、たとえばテストエレメント、すなわち試料の特性を検出するために使用されるエレメントもまた備え得る。例として、この特性は、体液中の１つまたは２つ以上の検体であり得る。この目的のために、たとえばテストストリップ、試験管、テストテープまたは同様のタイプの消耗品として具現化され得る消耗品は、特に１つまたは２つ以上のテスト領域を備え得る。概して、これらのテスト領域は、検出される検体が存在する場合に、少なくとも１つの検出可能な特性を明確に変化させる１つまたは２つ以上の試験薬を備えている。例として、これは、電気化学的にまたは光学的に検出可能な特性、たとえば色変化であり得る。原則として、そのようなテストエレメントは、先行技術によって知られている。例として、これらのテストエレメントは、血糖、乳酸、コレステロール、凝結値、または試料内の同様のパラメータの定性および／または定量検出のために使用できる。
【０００４】
医療消耗品の場合、特に医療診断の分野では、消耗品に関する少なくとも１つの情報は、一般に、消耗品と相互作用する医療機器に読み込まれなければならない。先行技術によると、これは、手動で、またはたとえば、いわゆるＲＯＭキーなどの電子伝送方法によって一般的に実行され、ＲＯＭキーは、消耗品が最初に使用されるときに、消耗品の包装に付され、医療機器の中に入れられる。しかし、原則として、他のデータ伝送の形態もまた可能である。例として、伝送されたデータは、どのように医療機器が消耗品と相互作用するか、および／またはどのように消耗品が使用されるかに関する情報を含み得る。例として、たとえばテストストリップは通常バッチからバッチで異なる特性を有しており、消耗品を使用するとき、より詳細には、これらの消耗品を使用して得られた測定値を評価するとき、考慮されなければならないので、これは、較正情報、バッチ特有の情報または同様のデータであり得る。
【０００５】
先行技術は、多くの異なるタイプのバーコードを開示している。ここで、これらは、線形バーコードとも呼ばれる単純な一次元バーコードであり、または、代わりとしてまたはそれに加えて、多次元のバーコード、たとえばいわゆるデータマトリクスコードであり得る。さまざまなオプションが、より詳細に以下で説明される。
【０００６】
バーコードは、通常、ハンドガイド式またはモータ駆動式スワイプシステムによって、もしくは移動式ミラー反射型レーザービーム（スキャナ）によって読取られる。そのようなリーダシステムは一次元バーコードの場合に使用されることが好ましい。かなり多くの情報を備える二次元または多次元バーコードの場合は、一般的にカメラシステムそうでなければミラースキャナが使用される。モータ駆動や垂直方式でＣＣＤ列を対象物および商品を通過させるＣＣＤ列システムを使用することもまた公知であるが、特に製造プロセスおよび／または組立ライン方法において使用されることは公知である。カメラシステムまたはたとえばＣＣＤ列によって供給されるこれらの多次元バーコードの部分的なイメージの情報を解読して読み出すために、一般的に、スキャナのモーションシーケンスまたは消耗品の通過と、使用されるコンピュータシステムの双方に高い要求がなされる。特に、一般的には、高速のコンピュータシステムが使用されなければならない。バーコードに含まれるサブモジュール、すなわちバイナリ情報担体の空間分解を可能にするため、一次元バーコードの場合にサブモジュールの相対的に定義された距離の形式で、または二次元バーコードの場合にクロックトラックの形式でコードに含まれるスピード情報が使用される。そのようなバーコードは、「自己クロック（self-clocked）バーコード」とも呼ばれる。しかし、従来使用されてきたバーコードのすべては、バーコードを有する消耗品がバーコードリーダを通過する範囲内において、移動プロセスの正確な単一指向性を前提とする。単一指向性の妨害は、一次元バーコードの場合にしばしば確認されるが、もしそのようないわゆる「悪いスキャン」が確認されれば、一般的には新しいスキャンの試みが要求される。二次元バーコードの場合のミラーガイド式またはカメラ支持式スキャンシステムは、スピードの不変性および単一指向性を自動的に可能にする。
【０００７】
特許文献１は、データ媒体が設けられ、通過する搬送商品または搬送容器のためのリーダを開示している。リーダは、データ媒体の情報トラックにある情報をスキャンできるリーダヘッドを備えている。２つのセンサによってスキャンされるクロックトラックがさらに提供される。２つのセンサは、互いに対してオフセットして配置される。この配置は、とりわけバーコードの移動方向を識別し、情報内容をシフトレジスタに読み出すのに使用できる。
【０００８】
特許文献２は、トラックに沿って移動する対象物を識別する装置を開示している。例として、これらは、情報担体が設けられた輸送車であり得る。情報担体は、穴の３つの列を備えている。ここで、上側の列および下側の列は、エンコード情報が存在する情報列として機能する。上側および下側の列はお互いを補足し、それゆえに、それぞれ、１つの穴が、互いの上にある列の穴に作られる。例として、上側の穴が存在する場合、これは、この場所に二進数で表される１があり、一方で下側の列の穴は０を表していることを意味する。対照的に、それぞれの情報に対してそれぞれ独立して、すべての穴がそこに存在する。第２の列のマーキングは、第１および第３の列に対してオフセットして配置される。それぞれ１つの列は、空間的に固定される方法で配置される走査エレメントと関連する。さらに、情報を識別するための対応するアルゴリズムが記載されている。特に、エッジ識別もまたここに開示されている。
【０００９】
特許文献３は、体液の成分を分析するためのテスト担体分析システムを開示している。特に、テスト担体およびコード担体がこの場合に確保される。
【００１０】
しかし、モータ操作のバーコードリーダおよび手動バーコードリーダはともに、スピードの不変性および単一指向性に関する要求が妨害される不規則な状態につながり得る。例として、モータ操作のバーコードリーダの場合、機械抵抗が生じ得る。そして、これらは、駆動システムにおける振動（jerks）につながる可能性がある。搬送方向が妨害される場合、この場合に悪いスキャンがまた生じ得る。バーコードが提供される消耗品は手動でバーコードリーダを通過させるように案内される手動のバーコードリーダは、スピードの不変性に対して比較的安定であるが、ある程度の状況で揺らす操作をするシステムの操作者は、単一指向性の点では要望に応え兼ねることもある。
【先行技術文献】
【特許文献】
【００１１】
【特許文献１】欧州特許出願公開第０１８０２８３号明細書
【特許文献２】欧州特許出願公開第０３７９０１７号明細書
【特許文献３】欧州特許出願公開第０４９２３２６号明細書
【発明の概要】
【発明が解決しようとする課題】
【００１２】
それゆえに、本発明の目的は、上述した公知の方法および装置の不都合を少なくとも大いに排除する方法および装置を提供することである。特に、簡単かつ小さい設置スペースで実現可能であり、手動で案内する用途においても高い信頼性で使用されるバーコードリーダ、特に、医療機器に使用するためのバーコードリーダを提案する。
【課題を解決するための手段】
【００１３】
この目的は、独立請求項の特徴を有する本発明によって達成される。個別にまたはあらゆる組み合わせで実現可能な本発明の有利な発展は、従属請求項に表されている。
【００１４】
本発明の第１の態様において、移動する担体に結合されたバーコードを取り込むために、バーコードリーダを提案する。ここで、バーコードは、一般的な用語として、光学的な方法またはオプトエレクトロニックな方法によって読み出すことが可能であり、少なくとも２つの異なる光学的に検出可能な状態をとることができる複数の光学的に検出可能なモジュールを有する情報担体のことをいう。ここで、モジュールは、それぞれバーコードの二次元または三次元領域を意味すると理解され、モジュールの光学的に知覚可能な特性は、互いに区別することができる少なくとも２つの状態をとることができる。例として、これは、担体表面の画定された二次元領域、そうでなければ担体物質内の三次元領域に関連し得る。重要な例は、しかしその応用はこれに限定されないが、いわゆる線形コードまたはラインコード、すなわち、モジュールが、少なくとも２つの異なる値（たとえば「白」および「黒」）をとることができる一連の横列から構成される一次元バーコードである。代わりとして、またはそれに追加で、二次元バーコード、たとえば、モジュールが２つの方向に適用され、たとえばマトリクスを形成するように配置される、いわゆるデータマトリクスコードもまた使用できる。この場合に、モジュールは、たとえば正方形または長方形として具現化できる。しかし、原則として、他の実施形態もまた可能である。可能なバーコードについては、たとえば、ＥＡＮ（Europe Article Number）コード、ＵＰＣ（Universal Product Code）コードまたは同様のコードに従った従来の商業上のバーコードを参照できる。バーコードの他の公知の規格もまた適用可能である。二次元バーコードについては、たとえば、データマトリクスコード、ＱＲコード（登録商標）、ＰＤＦ規格または同様のコードに従ったコードを参照できる。ここで、直交座標系または、たとえば極座標を有する座標系を用いることが可能であるが、本発明の範囲内では直交座標系を有する二次元コードが好ましい。モジュールは、バーコードの情報の最も小さい単位である。ここで、少なくとも２つの光学的に検出可能な状態をとることができるモジュールは、バーコードの全領域の領域または空間を意味すると理解される。本発明の範囲内で好ましいバイナリバーコードの場合には、これらの少なくとも２つの状態はバイナリであり得る、すなわち第１の状態または第２の状態をとることが可能である。しかし、原則として、他の実施形態、すなわち２つよりも多い状態が可能であり、たとえば、いわゆるグレースケールコードの範囲内で実現可能な実施形態もまた可能である。
【００１５】
少なくとも２つの状態をとることができる光学的に知覚可能な特性は、異なる２つタイプの光学特性のうちの１つであり得る。例として、これは、反射率や、色、蛍光、透明性または他の光学特性や、または前述の特性および／または他の特性の結合であり得る。少なくとも２つの状態をとることができるこの光学的に知覚可能な特性は、たとえば担体中に、たとえば材料中に、および／または担体表面上に直接導入可能であり、または追加のマーキング材料として、たとえば担体に適用できる。この例として、担体表面上に色を印刷し、その結果として、たとえば反射率および／または担体表面の透明性および／または担体の蛍光特性が変化する。例として、この任意のマーキング材料は担体上に印刷され、噴射され、または滴下され、そうでなければ別の担体エレメント、たとえば接着フィルムによって担体に適用できる。代わりに、たとえば照射によって、たとえばレーザによる照射によって、担体それ自体を修正することも可能である。レーザによって、バーコードが担体上に直接適用され、または担体中に直接導入され、または、同様に、担体に接続されたマーキング材料上に適用され、またはマーキング材料中に導入される。さまざまな実施形態が可能である。
【００１６】
原則として、担体はいかなる担体でもあり得る。今回の場合の担体が、医療消耗品、または医療消耗品の部分、または医療消耗品に結合されている場合、特に好ましい。ここで、原則として、医療消耗品は、医学または医用工学、特に補助手段として、たとえば治療および／または診断のための補助手段として、医学または医用工学の範囲内で要求されるいかなる物品も意味すると理解される。ここで、原則として、これは、たとえば診断補助手段および／または治療補助手段および／またはそれ自身が消耗品としての意味を持つそのような補助手段の包装であり得る。他の可能なタイプの消耗品を排除することなく、ここでは特に診断補助手段、たとえばテストストリップ、テストテープ、ランセットなどのようなテストエレメントを参照されるべきである。例として、これらは、たとえば体液試料のうちの少なくとも１つの検体の定性および／または定量検出を実行するために、試料の少なくとも１つの特性を分析するように構成された個々のテストストリップであり得る。これについては、たとえば、公知の光学的および／または電気化学的テストストリップを参照できる。さまざまな例示の実施形態をより詳細に以下に述べる。
【００１７】
本発明の範囲内において、バーコードリーダは、一般に、少なくとも、バーコードからの情報が、バーコードリーダのデータ記憶装置の電気信号または記憶状態に変換される程度に、バーコードを読み出すように構成される装置意味すると理解されるべきである。したがって、バーコードリーダは、少なくとも２つの状態をとることができるバーコードのモジュールの特性を、定性的な、または好ましくは定量的な方式で取り込むように構成される少なくとも１つの装置を有している。例として、以下でより詳細に説明するように、これらの装置は、少なくとも１つの種類の電磁放射線、好ましくは、可視光および／または赤外および／または紫外スペクトル領域の光、および／または電磁放射線を受ける光学検出器、さらに好ましくは、赤外および／または可視および／または紫外スペクトル領域の光を発する発光体を有する装置であり得る。一般に、本発明の範囲内の「光学」特性は、電磁放射線、好ましくは、可視および／または紫外および／または赤外スペクトル領域の光によって知覚され得る特性、またはそのような光に基づく特性を意味すると理解されるべきである。
【００１８】
提案されるバーコードリーダは、バーコードの情報モジュールの少なくとも一次元取り込みのための少なくとも１つの光学式バーコード検出器を有している。言い換えれば、バーコードは、バーコードリーダの少なくとも１つの光学式バーコード検出器によって取り込むことができる複数の情報モジュールを備えている。ここで、バーコードの情報モジュールは、バーコードの情報がエンコードされた形式で記憶される、バーコードの実際の情報担体を意味すると理解される。例として、バーコード検出器は、以下に例示により詳細に説明するが、および、任意に、バーコードリーダの他の検出器もまた、より詳細に説明されていないが、少なくとも１つの光学式感知エレメント、たとえばフォトダイオード、光電セル、ＣＣＤチップ、フォトトランジスタ、または、たとえば、入射電磁放射線、より詳細には可視および／または赤外および／または紫外スペクトル領域の光の強度や強度変化を検出できる同様の光学式感知エレメントを備え得る。そのプロセスでは、検出器は、１つまたは２つ以上の光学式感知エレメントを備え得る。例として、以下でより詳細に説明するように、複数の光学式感知エレメントまたは横一列に配置された光学的感知表面、たとえばＣＣＤ列を有する一次元検出器列を用いることが可能である。原則として、二次元配列もまた可能であり、および、原則として、検出器の他の実施形態も同様である。
【００１９】
ここで、バーコードの情報モジュールの少なくとも一次元の取り込みは、バーコードリーダに対してバーコードが移動する場合、バーコード検出器の少なくとも１つの検出器が、時間的に連続して、連続的に情報を記録すること、好ましくは、複数の検出器、たとえば、検出器列または、たとえば、バーコード検出器の検出器マトリクスのような検出器配列からの感知エレメントが同時にこれを行なうことを意味すると理解されるべきである。
【００２０】
バーコードリーダは、さらに、バーコードのクロックトラックのクロックトラックモジュールを取り込むための少なくとも１つの光学式クロックトラック検出器を備えている。ここで、トラックは、複数の連続モジュールを意味すると理解されるべきであり、連続モジュールは、バーコードにおいて直線の、そうでなければ湾曲したラインに沿って連続的に配置され、好ましくは、同時にバーコードの情報モジュールとして機能することはないが、好ましくは、バーコードがバーコードリーダに対して移動するとき、刻時のためにのみ機能する。ここで、刻時は、バーコードリーダからその時に読み出される情報との同期を意味すると理解され、情報は、バーコード内における空間配置を有する情報モジュール、たとえば、バーコードの特定の横列に横列情報を割り当てるために、たとえば、バーコードリーダの記憶の範囲内で、横列ごとにさらに周期的に繰り返す情報モジュールからその時に読み出される。
【００２１】
バーコードリーダは、さらに、少なくとも１つの基準情報をバーコードから取り込むための少なくとも１つの光学式基準検出器を有している。バーコードリーダは、たとえば、適当な評価装置によって、クロックトラック検出器からの少なくとも１つの信号および基準検出器からの少なくとも１つの信号から、担体の移動方向を割り出す。例として、クロックトラック検出器からの信号と基準検出器からの信号を比較し、生じ得る可能な場合に応じて、担体の移動方向を割り出す評価装置の提供が可能である。このように、たとえば、移動は、大まかに言えば、クロックトラック検出器からの信号から、より詳細には、クロックトラック検出器からの信号レベルの変化から割り出され、それから、順番に、たとえば、バーコード検出器からその時に読み出される情報のさらなる周期的繰り返しを割り出すことが可能であり、および／または、さらなる周期的繰り返しは、たとえば刻時されたデータ記憶の目的でトリガーされ得る。基準検出器からの追加情報から、さらに、特にクロックトラック検出器からの信号と併せて、さらなる周期的繰り返しが負または正方向で生じたか、または生じるべきかを割り出すことが可能である。例として、この信号評価は、適当な電子機器を用いて実行可能であり、たとえば比較によって、電子機器および／または電子テーブルおよび／または１つまたは２つ以上の識別機を用いて実行可能である。代わりとしてまたはそれに加えて、任意の評価装置もまた、たとえば、クロックトラック検出器および／または基準検出器からの信号、特に電流信号またはこれらの信号から生じる二次信号を処理し、評価するデータ処理装置を備え得る。特に、評価装置は、少なくとも１つのデータ処理アルゴリズムによって、クロックトラック検出器および／または基準検出器からの信号、特に電流信号、またはこれらの信号から生じる二次信号を読み出し、および／または少なくとも部分的に評価するように構成される。
【００２２】
バーコードリーダは、特に、クロックトラック検出器からの信号におけるクロックトラック、より詳細には、光学および／または電気信号におけるポジティブまたはネガティブエッジに起因する少なくとも１つの信号変化を取り込むように構成される。例として、これは、クロックトラック検出器からの信号を、たとえば１つまたは２つ以上の閾値と比べ、識別することによりもたらされ得る。そのようなエッジ検出器は、エレクトロニクスの分野でよく知られている。例として、エッジのサインもまたこの方式で識別され得る。例として、バイナリ黒／白バーコードの場合、そのようなエッジは、黒モジュールから白モジュールへの移行部（反射信号におけるポジティブエッジ）において、またはその逆(反射信号におけるネガティブエッジ)に生じる。
【００２３】
ここで、そこからの担体の移動方向を割り出すために、クロックトラック検出器からのおよび基準検出器からの同時に発生する信号が互いに比較されることが好ましい。ここで、本発明の範囲内において、同時に発生する信号は、同時に記録される信号を意味すると理解されるべきである。完全同時に加えて、この場合、許容範囲、たとえば、好ましくは２００μｓ以下、好ましくは１００μｓ以下および特に好ましくは５０μｓ以下である完全な時間値のずれもまた認められ得る。
【００２４】
バーコードリーダは、より詳細には、クロックトラック検出器により取り込まれる信号変化のサインから、および基準検出器からの信号の絶対値から、より詳細には基準検出器からの同時に発生する信号から、バーコードリーダに対する担体の移動方向を割り出すように構成され得る。例として、バイナリ情報がモジュールに存在する場合、４つの異なるケースが、原則として、生じ得る。このように、たとえば、ポジティブ信号レベル（「白」または「１」）と対になった、またはネガティブ信号レベル（「黒」または「０」）と対になった、基準検出器からの信号の信号レベルのポジティブエッジがあり得る。代わりに、ネガティブエッジもまた、基準検出器からの信号の絶対値におけるポジティブまたはネガティブ信号と対になった、クロックトラック検出器からの信号において生じ得る。例として、これらの４つの可能性のうち、２つのそれぞれが、バーコードリーダに対する担体の第１の移動方向に対応し、他の２つが、第２の移動方向、たとえば反対の移動方向に対応し得る。例として、これは、バーコードがバーコードリーダに対して移動した時に、クロックトラック検出器からの信号の周期性と比較して位相シフトしている周期性を有している信号を記録する基準検出器により実現することができる。例として、この位相シフトは、以下でより詳細に説明するように、クロックトラック検出器が、位置空間において２・Ｈまたはｎ・２・Ｈの位相がシフトしている、クロックトラック自身の信号を記録するという事実により、たとえばクロックトラック検出器と比べて、基準検出器が、対応する距離だけ空間的に（たとえば、移動方向に対して平行に）オフセットしていることにより、および／または、クロックトラック自身と同じ（またはその整数倍の）周期性を有しているが、クロックトラックに対して、移動方向におけるモジュールのモジュール高さに対してｎ・２・Ｈずれている位相オフセットにより位相シフトしている、バーコードの別の基準トラックが測定されるという事実により、実現することができる。たとえば、基準トラックおよびクロックトラックの両方が、移動方向に対して平行に配列されていることによるなど、少なくとも１つの任意の基準トラックが、少なくとも１つのクロックトラックに対して平行に配列されていることが好ましい。例を以下でより詳細に説明する。
【００２５】
したがって、バーコードリーダは、たとえば、ネガティブエッジが、クロックトラック検出器からの信号において識別され、第１の信号レベルが、基準検出器からの信号において識別される場合、またはポジティブエッジが、クロックトラック検出器からの信号において識別され、第２の信号レベルが、基準検出器からの信号において識別される場合、第１の移動方向を割り出し、およびポジティブエッジが、クロックトラック検出器からの信号において識別され、第１の信号レベルが、基準検出器からの信号において識別される場合、またはネガティブエッジが、クロックトラック検出器からの信号において識別され、第２の信号レベルが、基準検出器からの信号において識別される場合、第１の移動方向に反対の方向の第２の移動方向を割り出すように構成され得る。
【００２６】
移動方向は、特に、バーコードの情報モジュールから読み出された情報を保存する時に、さらに周期的な繰り返しをもたらすために使用され得る。このように、バーコードリーダは、たとえば、データ記憶装置を備え得るが、バーコードリーダは、それぞれバーコードの横列に含まれる情報を読み出し、データ記憶装置に情報を保存するように構成される。特に、バーコードリーダは、識別された移動方向に従って、アドレスカウンタをインクリメンタルに増加または減少させるように構成される。そのような実施形態は、一次元バーコード（この場合、データ記憶装置の横列は、正確に１つの値を含む）の場合、または二次元で、長方形のバーコード（この場合、データ記憶装置の横列は、バーコードの１つの列のモジュールの数に対応する複数の情報を含む）の場合、特に好ましい。例として、バーコードは、たとえば、ｙ方向を規定する。バーコードリーダに対する、バーコードまたは担体の所期の移動方向と、ｘ方向を規定する、この所期の移動方向に対して垂直な方向とを有するマトリクス形状モジュールの長方形フィールドを有し得る。バーコードの横列は、同じｙ座標を有する、バーコードの情報モジュールのセットである。このように、長方形フィールドは、所期の移動方向に対して平行に配列されることが好ましい。以下でより詳細に説明するように、本当の移動方向または実際の移動方向は、所期の移動方向からずれているが、しかし、バーコードリーダは、そのずれが２０°以下、特に１０°以下、特に好ましくは５°以下になるように構成されることが好ましい。この点で、さらなる可能な実施形態を制限することなく、以下の記載において、所期の移動方向と実際の移動方向の区別はしないし、ｙ軸は、移動方向に対して平行に配向するものとする。移動方向のずれを述べる場合、実際の移動方向と所期の移動方向の角度のずれを意味する。
【００２７】
さらに、「移動方向において」という表現は、原則として、移動方向に対して平行な方向を意味すると理解される。しかし、本発明の範囲内において、移動方向についての割り出しは、移動のサインについての割り出し、すなわち移動が正のまたは負のｙ方向であるかどうかの点についての情報を意味すると特に理解される。例として、以下でより詳細に説明するように、このサインによって、アドレス情報を担うインクリメンタルな増加または減少について推測がなされることを可能にする。
【００２８】
光学式クロックトラック検出器は、バーコード検出器とは異なる別のクロックトラック検出器として具現化できる。しかし、代わりとしてまたはそれに加えて、クロックトラック検出器は、バーコード検出器の全体的または部分的な部分でもよく、すなわちバーコード検出器に含まれていてもよい。このように、たとえば、バーコード検出器の一部は、クロックトラック検出器として使用できる。類似の記述は、基準検出器にも適用され、基準検出器は、同様に、別の検出器として具現化できることが好ましい。しかし、代わりに、基準検出器は、同様に、バーコード検出器の全体的または部分的な部分でもよく、たとえばバーコード検出器の部分により、基準検出器として使用されてもよい。しかし、クロックトラック検出器および基準検出器は、互いに対してオフセットして配置される別の検出器であることが好ましい。特に、基準検出器は、移動方向に対して垂直な方向において、クロックトラック検出器の隣に配置できる。
【００２９】
この実施形態は、以下でより詳細に説明するように、少なくとも１つのクロックトラックの隣に、移動方向に対して平行に配列され、方向トラックとして使用可能であり、基準検出器により分離して読み出すことができる少なくとも１つの基準トラックを備えるバーコードを活用すれば、特に好都合である。上述したように、この基準トラックは、たとえば、クロックトラックと同じ周期性を有しているが、クロックトラックと比べて位相オフセットを有している、たとえば、第２のクロックトラックであり得る。ここで、「第２のクロックトラック」は、クロックトラックとして実際に使用される少なくとも１つのトラックと同じ方式で具現化させるトラックを意味すると理解されるべきであるが、しかし、この少なくとも１つの追加のトラックは、クロックトラックとしてではなくむしろ基準トラックとして使用される。結局、バーコードは、この場合に、後者が少なくとも２つのクロックトラックを備えるように具現化可能であり、少なくとも２つのクロックトラックの少なくとも１つが、刻時のための実際のクロックトラックとして使用可能であるか、または使用され、少なくとも２つのクロックトラックのうち、もう一方の少なくとも１つが、基準トラックとして使用可能であるか、または使用される。しかし、原則として、他の実施形態もまた可能である。移動方向に対して垂直にオフセットして、クロックトラック検出器の隣にある基準検出器の実施形態の代わりとして、またはそれに加えて、移動方向に対して平行な方向にあるクロックトラック検出器と比べてオフセットして配置される基準検出器の実施形態もまた可能である。特に、正または負の値Δだけのオフセットがあり得る。オフセットΔは、移動方向におけるバーコードのモジュールのモジュール高さの整数倍ずれている。特に、移動方向におけるクロックトラックモジュールおよび／または基準トラックモジュールのモジュール高さの半分の等しくない倍数に対応するオフセットを選択することが可能である。移動方向における基準検出器オフセットの後者の実施形態は選択することができ、特に、単に１つのクロックトラックが使用される場合に選択できる。この場合に、基準検出器は、位相オフセットを有する位置空間にある同じクロックトラックを読み出すことができ、位相オフセットは、２・Ｈの整数倍からずれていることが好ましい。この場合にも、たとえばクロックトラック検出器からのエッジ信号および基準検出器からの絶対信号レベルから、移動方向を割り出すことは可能である。空間的なオフセットは、モジュール高さの半分の等倍数離れていることが好ましい。
【００３０】
この可能な実施形態に従って、基準検出器によって読み出される、バーコードからの光学基準情報は、多くの方法で具現化可能である。このように、たとえば、バーコードの基準トラックからの光学情報は、光学基準情報として選択することができる、すなわち、たとえば、基準検出器の位置（または複数の基準検出器がある場合の基準検出器の位置）に局在する基準トラックの光学特性として選択することができる。しかし、代わりとしてまたはそれに加えて、上述したように、バーコードの少なくとも１つのクロックトラックが読み出されることも可能である。このように、クロックトラック検出器によりその時点で読み出されるクロックトラックからの光学情報に対する所定のオフセット位置にある、バーコードのクロックトラックからの光学情報は、基準トラックからの光学情報として使用できる。特に、その処理において、バーコードリーダに対する担体の移動方向に対して平行な方向にあるオフセット、特にクロックトラックのモジュール高さの整数倍離れているオフセットを選択することができる。
【００３１】
上に示したように、担体は、さまざまな方法で具現化できる。例として、この担体はそれ自身が消耗品であり、消耗品の一部であり、または消耗品と結合することができる。しかし、原則として、他の実施形態もまた可能である。ここで、多くの場合において、バーコードリーダ自身が、全体的にまたは部分的に担体を受け入れるように構成される受容部を備えていれば、好都合である。特に、これは、全体的にまたは部分的に担体を挿入可能なスロット、全体的にまたは部分的に担体を挿入可能なガイドレール、または他のタイプの受容部であり得る。特に、受容部は、受容部での担体の移動、好ましくは単に移動方向に対して平行な方向での移動を可能にするように構成することができる。しかし、わずかな角度の許容範囲もまたここでは原則として認められるが、たとえば角度の許容範囲は、好ましくは２０°以下で、特に１０°以下で、特に好ましくは、５°以下または３°またはそれ以下である。そのような許容範囲は、従来のガイドレールまたはスロットを用いて問題なしに達成することができ、特に担体がストリップ形状の方法で、たとえばバーコードを有するテストストリップとして任意に具現化される場合に達成することができる。特に、受容部は、担体が受容部内で移動できるように、好ましくは手で移動できるように構成することができる。したがって、受容部は、たとえば、まったく受動的な実施形態、すなわちバーコードリーダに対する担体の移動を能動的にもたらす作動装置を有さないまったく受動的な実施形態を有し得る。例として、これは、スロットまたはガイドレールの形でもたらすことができ、受容部における担体への手による接近がまだ可能であるような方法で具現化される。しかし、全くの手による可動性の代わりとして、別の実施形態において、まさに同様に、バーコードリーダに対する担体の移動をもたらす１つまたは２つ以上の作動装置が提供される可能性がある。例として、バーコードリーダは、全体的にまたは部分的にスキャナとして具現化することが可能であるが、担体およびバーコードリーダまたはその部分の手動または自動での相対移動は、たとえばバーコード検出器に対してバーコードを移動させることができ、またはその逆も可能で、バーコードが読み出されることを可能にする。
【００３２】
このように、原則として、受容部は、バーコードリーダに対する担体の移動が可能なように構成される。この移動は、一次元で生じることが好ましいが、しかし、他の移動もまさに同様に可能である。一直線の移動方向、すなわち所期の移動方向に沿っての直線移動があることが好ましい。しかし、原則として、湾曲した移動もまた可能である。
【００３３】
一般に、バーコードリーダに対する担体の移動は、より詳細には、バーコード検出器に対する担体およびこれによるバーコードの移動を備えることができるという事実に関して参照されるべきである。ここで、バーコードリーダに対する担体の相対移動は、少なくとも１つの座標系、たとえば担体および／またはバーコードが停止している座標系、またはバーコードリーダまたはその部分が、たとえばバーコード検出器が停止している座標系、または担体およびバーコードリーダの両方が移動している座標系における移動を意味すると理解されるべきである。このように、相対移動は、バーコードリーダまたはその部分、たとえばバーコード検出器が停止している間、担体および／またはバーコードが移動するように具現化することができる。代わりに、相対移動はまた、バーコードリーダまたはその部分、たとえばバーコード検出器が移動している間、担体および／またはバーコードが停止するように具現化することもできる。別の代わりの実施形態では、相対移動はまた、担体および／またはバーコード、およびバーコードリーダまたはその部分、たとえばバーコード検出器の両方が移動するように具現化することもでき、たとえば、バーコードとバーコードリーダおよび／またはバーコード検出器との間に空間を開けることは移動によって修正できる。
【００３４】
バーコードリーダは、担体が受容部の中で移動している間に、バーコードリーダによって、バーコードを読み出すことができるように構成されることが好ましい。
【００３５】
読み出しは、たとえばユーザによって、たとえば少なくとも１つのボタンまたはスイッチそうでなければその他のタイプの作動エレメントを作動させることによって開始することができる。代わりに、またはそれに加えて、読み出しはまた、たとえばバーコードを有する担体が受容部に挿入され、たとえば押し込まれ時に、自動で開始することもできる。例として、受容部は、挿入中または挿入後に、担体および／または担体を備えるテストエレメントにより作動される少なくとも１つのスイッチを有し得る。例として、この作動は、相対移動および／またはバーコードの読み出しを開始させることができる。
【００３６】
提案されるバーコードリーダのさらなる可能な実施形態は、さまざまな検出器の実施形態に関する。特に、検出器の１つまたは２つ以上、すなわちバーコード検出器、クロックトラック検出器または基準トラック検出器またはこれらの検出器あらゆる組み合わせは、これらが、対でまたはすべて一緒に、１つまたは２つ以上の共通の光学センサエレメントに頼るように具現化することができる。このように、たとえば、バーコードリーダは、少なくとも１つの光学センサエレメント、たとえば横一列のセンサ、特に横一列のＣＣＤを備えることができ、クロックトラック検出器および基準検出器は光学センサエレメントを使用するように構成される。例として、クロックトラック検出器は、横一列のセンサの、たとえば横一列のＣＣＤの第１の区画を使用することができ、基準検出器はさらなる区画を使用することができる。さらに、バーコード検出器は、任意に、この横一列のセンサの区画を使用することもできる。さまざまな実施形態が可能である。バーコードリーダの複数の検出器による光学センサエレメントの共用部分は、たとえば適当な光学反射エレメント、たとえば、１つまたは２つ以上のミラー、プリズムまたは同様の反射エレメントなどによって、たとえば、光学信号を適宜センサエレメントに向けることができるようにもたらされ得る。
【００３７】
上述の実施形態の１つまたは２つ以上についてのバーコードリーダに加えて、上述の実施形態の１つまたは２つ以上の通り、少なくとも１つのバーコードリーダを備える装置が、少なくとも１つの情報を伝送するためにさらに提案される。装置は、さらに少なくとも１つのバーコードを有する少なくとも１つの担体を備えており、その担体は、たとえば担体に関連する上述の特徴を有している。例として、このバーコードは、バーコードに関連する上述の特徴を有するバーコードで有り得る。
【００３８】
バーコードは、複数の情報モジュールおよび少なくとも１つのクロックトラックを備えている。クロックトラックの可能な実施形態については、上述の記載を参照できる。以下でより詳細に説明するように、バーコードは、追加で、少なくとも１つの基準トラックを備えることができ、あるいはクロックトラックそれ自身は、上述したように、同時に基準トラックとして使用することができる。ここで、少なくとも１つの「追加の」基準トラックは、少なくとも１つのクロックトラックとは別に具現化される少なくとも１つの基準トラックを意味すると理解されるべきである。例として、少なくとも１つの基準トラックは、少なくとも１つのクロックトラックの隣に延びることができ、基準トラックは、たとえば、少なくとも１つのクロックトラックに直接隣接し、そうでなければ少なくとも１つのクロックトラックとは別に、たとえば空間を開けることの結果として具現化される。特に、少なくとも１つの基準トラックは、少なくとも１つのクロックトラック対して平行に延びることができる。例として、少なくとも１つの追加の基準トラックは、少なくとも１つのクロックトラックに対して平行なオフセットを有し得る。さらに、少なくとも１つの基準トラックは、少なくとも１つのクロックトラックと同じ周期性を有し得ることが好ましい。少なくとも１つの基準トラックは、少なくとも１つのクロックトラックの周期性と比べて位相シフトしている周期性を有していることが好ましい。
【００３９】
装置は、少なくとも１つの移動方向において、バーコードリーダに対して、担体を手で移動させることができるように、任意に構成される。この目的のために、装置は、たとえば、上述したように、担体を受けるための少なくとも１つの受容部を備え得る。受容部の可能な実施形態については、上述の記載を参照できる。特に、受容部は、バーコードリーダに対する担体の手による移動が可能になるように構成される。しかし、原則として、他の実施形態も可能である。
【００４０】
担体は、特に、医療消耗品、医療消耗品の部分または医療消耗品に接続された担体エレメントで有り得る。特に、これは、体液中の少なくとも１つの検体を検出するための分析用テストエレメント、たとえばテストストリップで有り得る。しかし、他の実施形態、特に上述の実施形態も可能である。
【００４１】
クロックトラックは、より詳細には、移動方向に、すなわち所期の移動方向に対して平行に配置することができる。クロックトラックは、より詳細には、クロックトラック検出器を通過する時、クロックトラック検出器において、少なくとも２つの異なる信号レベルを交互に生成するように構成される複数の周期的に交替するクロックトラックモジュールを有し得る。移動方向のクロックトラックモジュールの繰り返し周波数は、特に、移動方向におけるバーコードの情報モジュールの繰り返し周波数に対応し得る。言い換えれば、移動方向におけるモジュール高さおよび／またはモジュール間隔は、たとえばクロックトラックおよびバーコードの情報モジュールについて対応し得る。追加の基準トラックが存在する場合、後者は、クロックトラックおよび／またはバーコードの情報モジュールとして同じ繰り返し周波数も有し得る。しかし、原則として、他の実施形態もまた一般的に可能であり、たとえばバーコードの情報モジュールなどの繰り返し周波数の整数倍である、移動方向における繰り返し周波数を有するクロックトラックにより可能である。
【００４２】
特に、バーコードは、バーコードの少なくとも１つの情報フィールドに情報モジュールが配置されるように構成され得る。例として、この情報フィールドは、情報モジュールの横列および縦列、たとえば移動方向に対して平行に配列される縦列を有する長方形フィールドとして具現化することができる。しかし、原則として、他の実施形態もまた可能である。クロックトラックは、情報フィールドとは別に、たとえば情報フィールドから分離して、具現化することができ、そうでなければクロックトラックは、情報フィールドに全体的にまたは部分的にも含まれ得る。特に、移動方向に対して平行な、情報フィールドの縦列端縁は、クロックトラックとしても使用できる。
【００４３】
クロックトラックおよび／または任意の基準トラックとして、情報フィールドの少なくとも１つの縦列端縁を使用する代わりとして、またはそれに加えて、クロックトラックおよび／または任意の基準トラックはバーコードの内側にも移動できる。このように、たとえば、情報フィールドの情報モジュールを有する少なくとも１つの縦列が、それぞれ移動方向に対して垂直に両側で隣接するように、クロックトラックおよび／または基準トラックは具現化できる。特に、クロックトラックおよび／または基準トラックは、バーコードの中央の縦列に、またはバーコードの中央から好ましくは５モジュール幅以下、特に好ましくは２モジュール幅以下で配置されるバーコードの縦列に配置することができる。以下により詳細に説明するように、バーコード内側におけるクロックトラックおよび／または基準トラックの配置は、バーコードの中央であることが好ましいが、移動方向に対してバーコードの角度オフセットがある場合に、より大きなロバストを有するという利点を提供する。
【００４４】
さらに、情報フィールドは、任意に、横列端縁および／または縦列端縁のモジュールが、バーコードリーダにおける均一の信号レベルを生成するために構成されて、後者が少なくとも１つの横列端縁および／または少なくとも１つの縦列端縁を備えるように具現化することができる。例として、全くの白または全くの黒の横列端縁、および全くの白または全くの黒の縦列端縁を用いることが可能である。これらの横列端縁または縦列端縁は、最初に、開始／停止信号として、そうでなければ信号レベルを較正するために使用できる。
【００４５】
上述したように、バーコードは、さらに、クロックトラックとは別に具現化される少なくとも１つの基準トラックを有し得る。基準トラックは、移動方向に対して平行に配置されることも好ましい。例として、基準トラックは、基準検出器を通過する時に、基準検出器において、少なくとも２つの異なる信号レベルを交互に生成するように構成される複数の周期的に交替する基準トラックモジュールを有し得る。ここで、基準トラックの周期性は、前者がクロックトラックと同じ繰り返し周波数を有するようで有り得る。しかし、基準トラックの周期性は、クロックトラックの周期性と比べてシフトすべきであり、好ましくはＨ／２の等しくない倍数だけ位相シフトすべきである。
【００４６】
バーコードのモジュール、すなわち情報モジュールおよび／またはクロックトラックのモジュールおよび／または任意の基準トラックのモジュールは、一般に、移動方向におけるモジュール高さおよび移動方向に対して垂直なモジュール幅を有し得る。例として、バーコードのモジュールおよび／または任意の基準トラックのモジュールおよび／またはクロックトラックのモジュールは、移動方向における長方形の辺長がモジュール高さであり、移動方向に対して垂直な方向における長方形の辺長がモジュール幅である長方形状を有し得る。長方形は、正方形であり得るが、そうでなければ正方形でなくてもよい。
【００４７】
バーコードのモジュールのモジュール高さ、すなわち、情報モジュール、クロックトラックのモジュールおよび基準トラックのモジュールからなる群から選ばれるモジュールのうちの１つまたは２つ以上のモジュールのモジュール高さは、モジュール幅と同じであり得るが、しかし、より詳細には、モジュール幅を超過してもよく、好ましくは少なくとも１．２倍、より詳細には少なくとも１．５倍、または２倍であってもよい。以下により詳細に説明するように、モジュールのこの細長い実施形態は、実際の移動方向に対する所期の移動方向の傾き、たとえばバーコードが傾きを有して担体上に適用される結果として、および／または、バーコードの縦列に対する、またはクロックトラックおよび／または基準トラックに対する、担体とバーコードリーダの間の相対移動の移動方向における傾きの結果としての傾きを許容することを可能にもする。それは、傾きに関らず、横一列づつの読み出しの場合、傾きに関らず同じ横列の読み込み処理もあることを確実にすることもできるからである。
【００４８】
上述のバーコードリーダおよび示された任意の実施形態のうち１つまたは２つ以上における上述の装置に加えて、バーコードをさらに提案する。バーコードは、より詳細には消耗品の部分、より詳細には医療消耗品の部分であり得る。したがって、本発明による少なくとも１つの担体および少なくとも１つのバーコードを有するそのような消耗品は、それ自身が本発明の主題であり得る。特に、消耗品は、体液の少なくとも１つの検体を検出するための分析用テストエレメントであり得る。例として、分析用テストエレメントは、検体を検出するための少なくとも１つの試験薬を備えている。ここで、試験薬は、検出されるべき少なくとも１つの検体が存在する場合、少なくとも１つの検出可能な特性、たとえば物理的におよび／または化学的に検出可能な特性、より詳細には、電気化学的におよび／または光学的に検出可能な特性を明確に変化させる物質を意味すると理解されるべきである。分析用テストエレメントは、より詳細には、少なくとも１つの担体、たとえばストリップ形状またはテープ形状の担体、および担体に接続された少なくとも１つのバーコードを備えている。分析用テストエレメントは、上述の実施形態の１つまたは２つ以上の通りの装置において使用されるように構成されることが好ましい。
【００４９】
バーコードは、複数の情報モジュールを備えている。バーコードは、さらに、少なくとも１つのバーコードリーダによって、情報モジュールの読み出しを刻時するための少なくとも１つのクロックトラックを備えている。移動方向において、バーコードとバーコードリーダの間の相対移動が存在する。この相対移動は、原則として、バーコードエレメントおよびバーコードリーダエレメントのうちの１つまたは両方、すなわちバーコード、バーコードリーダまたはバーコードおよびバーコードリーダが移動できるような方法で実行される。ここで、刻時は、少なくとも１つのその時に読み出される情報モジュールによる信号、たとえばバーコード検出器からの信号を、移動方向における空間情報に、たとえばアドレスカウンタの形で割り当てることを意味すると理解されるべきである。バーコードは、さらに、クロックトラックとは別に具現化される少なくとも１つの基準トラックを備えている。基準トラックは、クロックトラックと比べて位相オフセットを有している。本発明によるバーコードのさらに可能な実施形態については、上述の記載が参照できる。したがって、バーコードは、たとえば上述の特徴を有する少なくとも１つのクロックトラックを有し、任意に、追加で、少なくとも１つの基準トラックを有し得る。さらに可能な実施形態については、上述の記載を参照できる。
【００５０】
したがって、消耗品は、消耗品が、特に、医療消耗品として具現化される、本発明のさらなる態様において提案される。特に、これは、上述の記載の通りの医療消耗品であり得る。したがって、消耗品は、原則として、バーコードによってマーキングされ得るあらゆる物品を備え得る。消耗品は、少なくとも１つの担体および少なくとも１つのバーコード、たとえば、上述の記載の通りに、担体に接続された少なくとも１つのバーコードを備えている。バーコードは、複数の情報モジュールを備えている。バーコードは、さらに、バーコードに対して移動方向で移動するバーコードリーダによって、情報モジュールの読み出しを刻時するための少なくとも１つのクロックトラックを備えている。例として、これは、上述の実施形態のうちの１つまたは２つ以上の通りのバーコードリーダであり得る。バーコードは、さらに、クロックトラックとは別に具現化される少なくとも１つの基準トラックを備えており、基準トラックは、クロックトラックと比べて位相オフセットを有している。クロックトラック、基準トラックまたはさらなるバーコードの部分のさらに可能な実施形態については、上述の記載を参照できる。
【００５１】
上で示したバーコードリーダ、述べた装置および分析用テストエレメントに加えて、消耗品特有の情報を、少なくとも１つの医療消耗品から、医療消耗品と相互作用する医療機器へ、より詳細には、医療測定機器および／または治療機器へ伝送するために、上述の実施形態の１つの通りの装置を使用することを、さらに提案する。ここで、消耗品特有の情報は、医療消耗品の少なくとも１つの特性を特徴付ける情報を意味すると理解されるべきである。特に、これは、たとえば、医療消耗品によって実行される測定を評価するために用いられ、および／または予期される消耗品の使用に関するバッチ−特定情報であり得る。しかし、代わりとしてまたはそれに加えて、消耗品特有の情報は、消耗品のタイプまたは少なくとも１つの他の特性、たとえば製作者、用量、有効期限、医療消耗品のタイプまたは他のタイプの情報または前述の組み合わせおよび／または他の情報に関する情報を備え得る。医療測定機器は、特に、ユーザの少なくとも１つの身体の状態および／または試料の少なくとも１つの状態を定性的におよび／または定量的に取り込むように構成される診断測定機器であり得る。特に、これは、試料、より詳細には、体液の試料における少なくとも１つの検体を定性的にまたは定量的に検出するように構成される診断測定機器であり得る。例として、少なくとも１つの検体は、少なくとも１つの代謝物質であり得る。しかし、代わりとしてまたはそれに加えて、医療機器は、少なくとも１つの投薬装置を備え、または投薬装置として具現化することができる。本発明のこの態様において、そうでなければ他の態様において、医療消耗品は、たとえば薬剤または治療薬であり、またはそのような薬剤または治療薬を備え、またはたとえばそのような薬剤または治療薬の包装であり、またはそのような包装の部分であり得る。消耗品特有の情報は、たとえば用量、利用情報、有効期限または同様の情報を備え得る。
【００５２】
本発明のさらなる態様において、移動する担体に接続される光学式バーコードを取り込む方法を提案する。特に、この方法は、バーコードリーダおよび／または上述の実施形態の１つまたは２つ以上による装置を用いて実行することができる。したがって、方法の可能な実施形態については上述の記載を参照できる。提案される方法において、移動するバーコードの情報モジュールは、少なくとも一次元的に取り込まれる。さらに、少なくとも１つのクロックトラック検出器は、バーコードのクロックトラックのクロックトラックモジュールを取り込むために使用される。さらに、バーコードからの少なくとも１つの基準情報は、少なくとも１つの基準検出器によって取り込まれる。担体の移動方向は、クロックトラック検出器からの少なくとも１つの信号および基準検出器からの少なくとも１つの信号から割り出される。
【００５３】
方法のさらに可能な実施形態については、上述の記載を参照できる。特に、基準検出器は、以下の光学信号から選択される光学信号を受けるように構成され得る。クロックトラック検出器からの所定の空間オフセット、より詳細には、移動方向に対して平行なオフセット位置でのクロックトラックからの光学信号。クロックトラックとは別であり、クロックトラックに対してモジュールオフセットを有する基準トラック、すなわち、たとえば、クロックトラックに対して位相シフトしている基準トラックからの光学信号。
【００５４】
結論として、以下の実施形態は、本発明の範囲内において特に好ましい。
【００５５】
実施形態１：移動する担体に結合されたバーコードを取り込むためのバーコードリーダであって、前記バーコードリーダが、前記バーコードの情報モジュールの少なくとも一次元取り込みのための少なくとも１つの光学式バーコード検出器を備え、前記バーコードリーダが、さらに、前記バーコードのクロックトラックのクロックトラックモジュールを取り込むための少なくとも１つの光学式クロックトラック検出器および前記バーコードから少なくとも１つの基準情報を取り込むための少なくとも１つの光学式基準検出器を備え、前記バーコードリーダが、前記クロックトラック検出器からの少なくとも１つの信号および前記基準検出器からの少なくとも１つの信号から、前記担体の移動方向を割り出すように構成されるバーコードリーダ。
【００５６】
実施形態２：前記バーコードリーダが、前記クロックトラック検出器からの信号における前記クロックトラックに起因する少なくとも１つの信号変化、より詳細にはポジティブまたはネガティブエッジを取り込むように構成される実施形態１記載のバーコードリーダ。
【００５７】
実施形態３：前記バーコードリーダが、前記クロックトラック検出器により取り込まれる信号変化のサイン、および前記基準検出器からの信号の絶対値、より詳細には前記基準検出器からの同時に発生する信号の絶対値、から前記移動方向を割り出すように構成される実施形態１または２記載のバーコードリーダ。
【００５８】
実施形態４：前記バーコードリーダが、
前記クロックトラック検出器からの信号においてネガティブエッジが識別され、前記基準検出器からの信号において第１の信号レベルが識別される場合、または前記クロックトラック検出器からの信号においてポジティブエッジが識別され、前記基準検出器からの信号において第２の信号レベルが識別される場合、第１の移動方向を割り出すように、および
前記クロックトラック検出器からの信号においてポジティブエッジが識別され、前記基準検出器からの信号において第１の信号レベルが識別される場合、または前記クロックトラック検出器からの信号においてネガティブエッジが識別され、前記基準検出器からの信号において前記第２の信号レベルが識別される場合、前記第１の移動方向とは反対の方向の第２の移動方向を割り出すように構成される実施形態３記載のバーコードリーダ。
【００５９】
実施形態５：さらにデータ記憶装置を備え、前記バーコードリーダが、前記バーコードの横列に含まれる情報を読み出し、それぞれ、横列に対応するアドレスカウンタとともに、前記データ記憶装置に保存するように構成され、前記バーコードリーダが、識別された移動方向に従って、前記アドレスカウンタをインクリメンタルに増加または減少させるように構成される実施形態１〜４のいずれか１つに記載のバーコードリーダ。
【００６０】
実施形態６：前記光学式クロックトラック検出器が、前記バーコード検出器の一部である実施形態１〜５のいずれか１つに記載のバーコードリーダ。
【００６１】
実施形態７：前記基準検出器が、前記クロックトラック検出器に対して、
前記基準検出器が、前記移動方向に対して垂直な方向において、前記クロックトラック検出器の隣に配置されるか、および／または
前記基準検出器が、前記移動方向に対して平行な方向において、前記クロックトラック検出器に対して、オフセットだけオフセットして配置され、前記オフセットが、好ましくは、前記バーコードの前記モジュールのモジュール高さの等倍数からずれて配置される実施形態１〜６のいずれか１つに記載のバーコードリーダ。
【００６２】
実施形態８：少なくとも１つの光学センサエレメント、より詳細には横一列のセンサを備え、前記クロックトラック検出器および前記基準検出器が、前記光学センサエレメントを使用するように構成される実施形態１〜７のいずれか１つに記載のバーコードリーダ。
【００６３】
実施形態９：光学的な前記基準情報が、
前記バーコードの基準トラックからの光学情報、および
前記クロックトラック検出器により読み出される前記クロックトラックからの現在の光学情報から所定のオフセットの位置にある、より詳細には、前記クロックトラックのモジュール高さの等倍数からずれるオフセットの位置にある、前記バーコードの前記クロックトラックからの光学情報から選択される実施形態１〜８のいずれか１つに記載のバーコードリーダ。
【００６４】
実施形態１０：さらに担体を受けるための受容部を備え、前記受容部が、前記バーコードリーダに対して前記担体が移動できるように構成され、前記バーコードリーダが、前記受容部内で前記担体が移動する間、前記バーコードリーダによって前記バーコードを読み出すことができるように構成される実施形態１〜９のいずれか１つに記載のバーコードリーダ。
【００６５】
実施形態１１：実施形態１〜１０のいずれか１つに記載の少なくとも１つのバーコードリーダを備え、さらに少なくとも１つのバーコードを有する少なくとも１つの担体を備えた、少なくとも１つの情報を伝送する装置であって、前記バーコードが、複数の情報モジュールおよび少なくとも１つのクロックトラックを備えている装置。
【００６６】
実施形態１２：前記クロックトラックが、複数の周期的に交替するクロックトラックモジュールを有し、前記交替するクロックトラックモジュールが、前記クロックトラック検出器を通過する時に、前記クロックトラック検出器において、少なくとも２つの異なる信号レベルを交互に生成するように構成される実施形態１１記載の装置。
【００６７】
実施形態１３：前記クロックトラックが、複数の連続クロックトラックモジュールを有し、連続クロックトラックモジュールが、前記バーコードにおいて直線のライン、または湾曲したラインに沿って連続的に配置され、前記バーコードの情報モジュールとして同時に機能しないが、前記バーコードが前記バーコードリーダに対して移動する時に、クロックとしてだけ機能する実施形態１１または１２記載の装置。
【００６８】
実施形態１４：前記バーコードが、二次元バーコードである実施形態１１〜１３のいずれか１つに記載の装置。
【００６９】
実施形態１５：前記バーコードが、さらに少なくとも１つの基準トラックを有している実施形態１１〜１４のいずれか１つに記載の装置。
【００７０】
実施形態１６：前記基準トラックが、第２のクロックトラックとして具現化され、前記基準トラックが、前記クロックトラックと同じ周期性を有し、前記クロックトラックと比べて位相シフトを有している実施形態１５記載の装置。
【００７１】
実施形態１７：前記基準トラックが、前記移動方向に対して平行に配置されている実施形態１５または１６記載の装置。
【００７２】
実施形態１８：前記基準トラックが、複数の周期的に交替する基準トラックモジュールを有し、前記交替する基準トラックモジュールが、前記基準検出器を通過する時に、前記基準検出器において少なくとも２つの異なる信号レベルを交互に生成するように構成され、前記基準トラックの周期性が、前記クロックトラックの周期性と比べて位相シフトしている実施形態１５〜１７のいずれか１つに記載の装置。
【００７３】
実施形態１９：前記基準トラックが、前記クロックトラックと同じ周期性を有している実施形態１５〜１８のいずれか１つに記載の装置。
【００７４】
実施形態２０：前記基準トラックが、前記クロックトラックに対して平行に配列されている実施形態１５〜１９のいずれか１つに記載の装置。
【００７５】
実施形態２１：前記バーコードのモジュールが、前記移動方向のモジュール高さ、および前記移動方向に対して垂直のモジュール幅を有し、前記モジュール高さが、前記モジュール幅を超過し、好ましくは少なくとも１．２倍、より詳細には少なくとも１．５倍である実施形態１１〜２０のいずれか１つに記載の装置。
【００７６】
実施形態２２：複数の情報モジュールを備えたバーコードであって、前記バーコードが、さらに、少なくとも１つのバーコードリーダにより、情報モジュールの読み出しを刻時するクロックトラックを備え、移動方向において、前記バーコードと前記バーコードリーダの間に相対移動が存在し、前記バーコードがさらに、前記クロックトラックとは別に具現化される少なくとも１つの基準トラックを備え、前記基準トラックが、前記クロックトラックと比べて位相オフセットを有している、バーコード。
【００７７】
実施形態２３：少なくとも１つの医療消耗品から、医療消耗品と相互作用する医療機器へ、より詳細には、医療測定機器および／または治療機器へ、消耗品特有の情報を伝送する実施形態１１〜２１のいずれか１つに記載の装置の使用。
【００７８】
実施形態２４：移動する担体に結合された光学式バーコードを取り込む方法であって、前記バーコードの情報モジュールが、少なくとも一次元的に取り込まれ、少なくとも１つのクロックトラック検出器が、前記バーコードのクロックトラックのクロックトラックモジュールを取り込むために使用され、さらに、前記バーコードからの少なくとも１つの基準情報が、少なくとも１つの基準検出器によって取り込まれ、前記担体の移動方向が、前記クロックトラック検出器からの少なくとも１つの信号および前記基準検出器からの少なくとも１つの信号から割り出される方法。
【００７９】
上述のバーコードリーダ、装置、バーコード、使用および方法が、一定の引抜速度および協調した移動プロセス、特に、データの読み出しの単一指向性を前提とする、手動で操作されるプル型リーダおよび／または特に、二次元バーコードのためのスワイプリーダ、または長手リーダを実現することを可能にする。示された解決策は、特に、協調移動プロセスを主として省略することができる、一次元および二次元バーコードの双方のための、手動で操作されるプル型またはプッシュ型リーダを実現することを可能にする。本発明は、限定されるものではないが、たとえば、分析用テストストリップの場合のように、１つの寸法が他の寸法よりも著しく長い物品に、特に有利に適用される。しかし、本発明は、異なる方法で実現されたバーコードスキャナシステムの信頼性を向上させるためにも適用することができる。
【００８０】
特に二次元バーコードについて、本発明にしたがって、簡単に実行することができ、費用効果のある二次元バーコードリーダシステムを提供することができる。この場合に、上述の任意の特徴は、代わりにまたは追加的に使用することができる。このように、たとえば、第２の、追加のクロックトラックが、基準トラックとして使用できる。後者は、実際のクロックトラックと相互作用することができる。例として、基準トラックの幾何学的形状は、実際のクロックトラックと完全に同じである実施形態を有することが可能であるが、それと比較して位相オフセットを有して配置され得る。
【００８１】
第１の信号レベルを有するモジュールおよび第２の信号レベルを有するモジュールが交互に繰り返すクロックトラック（バイナリクロックトラック）が使用される場合、たとえば、クロックトラックの周期性における９０°の位相シフトに対応するモジュールの半分の位相オフセットが存在し得る。この場合に、特に、クロックトラック検出器および基準検出器からの信号が比較される同時性識別によって、２つのトラックにおけるそれぞれの状態の変化、またはこれら２つのトラックの状態の変化のうち少なくともいくつかが、空間分解能を決定すること、および移動方向を決定することの双方のために使用されことが実現できる。原則として、そのような方法は、機械計測学からの変位エンコーダまたは回転センサ技術によって公知である。対照的に、この原理の使用は、本発明に従って提案されるように、一次元そうでなければ多次元のバーコードをデコードする場合には、公知ではない。本願の場合、この原理は、特に、バーコードデコーダアルゴリズムにおける部分的なアルゴリズムとして使用することができる。
【００８２】
さらに、光学式スキャナシステムにおける幾何学的配置において変更があり得るが、さらなる過程において、導入される基準トラック、たとえば方向トラックの移動があり得る。先行技術による二次元バーコードは、すでに大抵クロックトラックを備えており、多くの場合、少なくとも複数の感光エレメント（ピクセル）を有する光学列センサによってスキャンされるので、追加の基準トラックまたは方向トラックは、本発明に従って、第２の、追加のセンサが、クロックトラック検出器に対する位置空間において、空間的なオフセットまたは位相オフセット、たとえばすでに存在するクロックトラックに対して９０°の位相オフセットを伴って配置されるという１つの選択的な条件に限って、省略することができる。バーコード検出器および／またはクロックトラック検出器および／または基準検出器またはこれらの検出器のいくつかまたはすべては、任意にいわゆる密着イメージセンサ（ＣＩＳ）として具現化される。これは、検出器が、実用上、バーコード上で直接停止することができ、または、バーコードから多くても５ｍｍの距離で配置することができることを意味している。例として、そのようなＣＩＳセンサは、任意に、１つまたは２つ以上の反射エレメント、たとえば１つまたは２つ以上のスプリットミラーおよび／またはプリズムを組み合わせて、ＣＣＤ列の形で達成することができる。
【００８３】
クロックトラックが存在するが、しかし、クロックトラック自身が、（実際のクロックトラックとしておよび基準トラックとして）２回使用されるような追加の基準トラックは存在しない従来のバーコードに使用される場合、これは、さらに、市販のカメラスキャナが使用できるという利点を有しており、本発明に従って、適合させる必要があるのは、評価アルゴリズムだけである。特に、バーコードを設計するための特定の規則を、たとえばいわゆるクワイエットゾーン、すなわちモジュールを全く含まないゾーンの使用に付着させなければならない場合に、これは生じ得る。
【００８４】
クロックトラックが、追加で基準トラックとしても使用することができる結果として、クロック検出器と比べて空間的にオフセットしている基準検出器、より詳細には、モジュール高さの半分の等しくない倍数だけ移動方向でオフセットしている基準検出器が使用される上述の実施形態は、さまざまなさらなる利点を有している。このように、たとえば、二次元検出器、たとえば複数の光学列センサを有するシンプルな光学式フィールドセンサを使用することができる。さらに、二次元ＣＣＤアレイを有するＣＣＤカメラを使用することができる。この場合に、たとえば横列センサまたはこの横列センサの部分をクロック検出器として使用することができ、および検出器の他の横列または他の横列の部分を基準検出器として使用することができるが、たとえば位相距離（ｎ・３６０°）＋９０°、すなわち結果として相間中心距離９０°を有する横列、および／または、位置空間に対して、たとえば相間中心距離（ｎ・２・Ｈ）＋１／２Ｈを有する横列を使用することができる。利用されるバーコード、より詳細には二次元バーコードの幅に応じて、その分解能については、利用される光学式フィールドセンサに対して低い要求のみがなされる。例として、二次元バーコード（ここでたとえば全領域）が全体長さに対して分配されている場合、光学式コンピュータマウスにおいて通常使用されているように、シンプルなマウスセンサをすでに使用することができる。
【００８５】
本発明によると、さらに、角度オフセットエラーに対して安定させることができる。プル型および／またはプッシュ型リーダのそれぞれは、一般的に、スキャンされる消耗品のガイドを備えているので、このガイドが十分な頭上スペースを有していることも必要である。しかし、これは、一般的に、移動方向と縦列方向または移動方向に対するバーコードのクロックトラックの方向の間の角度オフセットにつながる。バーコードを担体に適用した時のエラー、たとえば印刷エラーは、そのような角度オフセットをもたらす。個々のモジュールを長手方向に、すなわち所期の移動方向に対して平行に引き延ばすように、バーコードの幾何学的形状を変更した結果として、角度オフセットのある値に対して調整可能な安定性を達成することができる。モジュールが長いほど（モジュール高さが大きいほど）、角度オフセットが大きくなる可能性がある。
【００８６】
さらに、本発明によると、シンプルなフラットスキャニングシステムを実現することができる。特に、これは、密着イメージセンサ（ＣＩＳ）、たとえば１つまたは２つ以上のＣＣＤ列の形で密着イメージセンサを使用することにより達成することができ、密着イメージセンサのイメージングは、たとえば０．５から０．７ｍｍの領域で実現することができる。
【００８７】
本発明のさらなる詳細および特徴は、好ましい例示の実施形態の以下の記載、特に従属請求項と併せた記載から明らかになる。ここで、それぞれの特徴は、それら自身でまたは、それらのいくつかが一緒に、互いに組み合わせて、実現することができる。本発明は例示の実施形態に限定されることはない。例示の実施形態は、図において模式的に示されている。ここで、個々の図における同じ参照符号は、同等のまたは機能的に同等のエレメント、または機能の点から対応するエレメントを示している。
【図面の簡単な説明】
【００８８】
【図１】クロックトラックおよび方向トラックとして具現化される基準トラックを有する二次元バーコードの本発明による改良の第１の例示的実施形態を示す。
【図２】クロックトラックおよび追加の基準トラックの形の方向トラックを有する一次元バーコードの本発明による改良の第２の例示的実施形態を示す。
【図３ａ】信号レベルのグラフ表示および信号レベルの変化を示す。
【図３ｂ】信号レベルのグラフ表示および信号レベルの変化を示す。
【図３ｃ】信号レベルのグラフ表示および信号レベルの変化を示す。
【図４】クロックトラックに対する、クロックトラックおよび基準トラックにおける状態の変化を示す。
【図５ａ】クロックトラックおよび基準トラックにおける信号のさまざまな一致およびアドレスカウンタのインクリメンタルな増加または減少への信号の変換を示す。
【図５ｂ】クロックトラックおよび基準トラックにおける信号のさまざまな一致およびアドレスカウンタのインクリメンタルな増加または減少への信号の変換を示す。
【図５ｃ】クロックトラックおよび基準トラックにおける信号のさまざまな一致およびアドレスカウンタのインクリメンタルな増加または減少への信号の変換を示す。
【図５ｄ】クロックトラックおよび基準トラックにおける信号のさまざまな一致およびアドレスカウンタのインクリメンタルな増加または減少への信号の変換を示す。
【図６】二次元バーコードからの情報の読み取りの概略図を示す。
【図７ａ】読み取り処理およびデータ記憶装置への対応する情報伝送の間の二次元バーコードにおける一連の状態の変化を示す。
【図７ｂ】読み取り処理およびデータ記憶装置への対応する情報伝送の間の二次元バーコードにおける一連の状態の変化を示す。
【図７ｃ】読み取り処理およびデータ記憶装置への対応する情報伝送の間の二次元バーコードにおける一連の状態の変化を示す。
【図７ｄ】読み取り処理およびデータ記憶装置への対応する情報伝送の間の二次元バーコードにおける一連の状態の変化を示す。
【図７ｅ】読み取り処理およびデータ記憶装置への対応する情報伝送の間の二次元バーコードにおける一連の状態の変化を示す。
【図７ｆ】読み取り処理およびデータ記憶装置への対応する情報伝送の間の二次元バーコードにおける一連の状態の変化を示す。
【図７ｇ】読み取り処理およびデータ記憶装置への対応する情報伝送の間の二次元バーコードにおける一連の状態の変化を示す。
【図７ｈ】読み取り処理およびデータ記憶装置への対応する情報伝送の間の二次元バーコードにおける一連の状態の変化を示す。
【図７ｉ】読み取り処理およびデータ記憶装置への対応する情報伝送の間の二次元バーコードにおける一連の状態の変化を示す。
【図７ｊ】読み取り処理およびデータ記憶装置への対応する情報伝送の間の二次元バーコードにおける一連の状態の変化を示す。
【図７ｋ】読み取り処理およびデータ記憶装置への対応する情報伝送の間の二次元バーコードにおける一連の状態の変化を示す。
【図７ｌ】読み取り処理およびデータ記憶装置への対応する情報伝送の間の二次元バーコードにおける一連の状態の変化を示す。
【図７ｍ】読み取り処理およびデータ記憶装置への対応する情報伝送の間の二次元バーコードにおける一連の状態の変化を示す。
【図７ｎ】読み取り処理およびデータ記憶装置への対応する情報伝送の間の二次元バーコードにおける一連の状態の変化を示す。
【図７ｏ】読み取り処理およびデータ記憶装置への対応する情報伝送の間の二次元バーコードにおける一連の状態の変化を示す。
【図８】すでにクロックトラックを含むが、追加の基準トラックが追加された二次元データマトリクスコードを示す。
【図９】図８の実施形態と比べて１８０°だけ回転したバーコードで、クワイエットゾーンおよびバーコードのＬ−ファインダが、白値基準および黒値基準として使用することができるバーコードを示す。
【図１０】図９の通りのバーコードの修正で、クロックトラックが１モジュールだけ伸び、クロックトラック自身が、追加の基準検出器によって、基準トラックとして使用することができる修正を示す。
【図１１】図１０の通りのバーコードの選択的な実施形態で、クロックトラックが、読み取り方向に対して横方向に伸びた実施形態を示す。
【図１２ａ】光学式接触リーダの形のバーコードリーダの例示の実施形態で、基準検出器として、追加の、位相シフトしたセンサを有する実施形態を示す。
【図１２ｂ】光学式接触リーダの形のバーコードリーダの例示の実施形態で、基準検出器として、追加の、位相シフトしたセンサを有する実施形態を示す。
【図１３】２つの位相シフトした列が使用されるバーコードおよび光学二次元センサの形のバーコードリーダを示す。
【図１４】バーコードおよびその担体が、角度オフセットをもってバーコードリーダに挿入された場合の読み取りエラーの問題の説明を示す。
【図１５】押しまたは引き方向でバーコードのコードモジュールを伸ばすことによる、図１４の通りの角度オフセットの問題の解決策を示す。
【図１６】テストストリップの形の消耗品を有する医療測定機器の形の、本発明による装置の例示の実施形態を示す。
【図１７】図１５の代わりとして、クロックトラックおよび追加の基準トラックを内部に有するバーコードの例示の実施形態を示す。
【発明を実施するための形態】
【００８９】
上に示したように、本発明の１つのアイデアは、２つの互いの位相オフセット、および好ましくはクロックトラック検出器および基準検出器からの同時発生の信号が比較されるようにバーコードを読み出すことから成る。ここで、これらは、同じクロックトラックによって記録された信号であるが、互いに対して空間位相オフセットを有するものか、またはクロックトラックからの信号および別の、位相シフトしたバーコードの基準トラックからの信号であり得る。位相オフセット信号が生成される、これらの選択肢の組み合わせ、または他の実施形態もまた実施可能である。
【００９０】
図１および２は、例示的に、光学式バーコード１１０の２つの異なる実施形態の例示の実施形態を示している。例として、バーコード１１０はそれぞれ担体１１２に適用することができ、または別の方法で担体１１２に接続する、たとえば担体１１２に導入することができる。例として、担体は、テストストリップの担体、たとえば紙、ラミネート、プラスティックまたは他の材料の担体であり得る。
【００９１】
情報担体として、バーコード１１０は、それぞれ、いわゆるモジュール１１４を有している。原則として、モジュール１１４は、バーコード１１０のあらゆる領域であり、たとえば所定の長方形、正方形、または、（原則として可能である）三次元バーコードの場合、空間においてあらかじめ定めることが可能な領域であり、これらの領域は、それぞれ、少なくとも２つの光学的に測定可能な状態を前提とする。その状態が、たとえばバーコード１１０の表面の反射率に関連する図示されたバイナリコードの場合、これらは、「黒」、すなわち低反射率、および「白」、すなわち高反射率の状態である。これらの２つの状態は、任意に、数値情報「０」および「１」を割り当てることができる。
【００９２】
バーコード１１０は、それぞれ、バーコード１１０の情報フィールド１１８に配置される複数の情報モジュール１１６を備えている。図１および２に示されるバーコード１１０において、情報フィールド１１８は、ｘ方向に沿う幅およびｙ方向に沿う長さを有する長方形フィールドとして具現化され、ｙ方向は、理想的には、図２において単に指し示されているだけであり、図１には描かれていないバーコードリーダ１２４の検出器１２２に対する担体１１２の移動方向１２０に対して平行に配列されている。ｙ方向は、このように、所期の移動方向を構成することが好ましいが、以下でより詳細に説明するように、本当の移動方向または実際の移動方向からずれることもできる。
【００９３】
図２のような一次元バーコードは、単に、ｙ座標ごとに、すなわち横列ごとに１つの情報モジュール１１６を有しているだけであるが、図１の通りの二次元バーコードは、情報フィールド１１８におけるそれぞれのｙ座標について、互いの隣に配置された複数の情報モジュール１１６を、すなわち横列１２６ごとに複数の情報モジュール１１６を有している。以下の本文において、同じｙ座標を有するモジュール１１４は、「横列」と呼ばれ、同じｘ座標を有するモジュールは、「縦列」と呼ばれる。
【００９４】
さらに、図１および２のような例示の実施形態におけるバーコード１１０は、それぞれクロックトラック１２８を有している。このクロックトラック１２８は、ｙ方向における情報モジュール１１６として、ｙ方向に対して平行に配列されており、同じ周期性、すなわちモジュール１１４の同じ繰り返し周期を有していることが好ましい。したがって、示された例示の実施形態におけるクロックトラック１２８は、同様に、順番に少なくとも２つの状態を前提とするクロックトラックモジュール１３０を備えている。示された、バイナリの例示の実施形態において、これらは、同様に「黒」および「白」の状態である。示された例示の実施形態においては、クロックトラックは、同様にｙ方向において周期的な実施形態を有し、それで、それぞれ周期的なクロックトラックモジュール１３０は、同じ情報とともに繰り返す、すなわちこの例示の実施形態においては、黒および白クロックトラックモジュール１３０が交互に繰り返す。
【００９５】
ここで、クロックトラック１２８は、情報モジュール１１６の横列１２６と比べて位相シフトしていないことが好ましい。これは、クロックトラックモジュール１３０が、それぞれ、対応する横列１２６の対応する情報モジュール１１６と同じｙ座標を有していることを意味している。
【００９６】
さらに、図１および２の例示の実施形態の通りのバーコード１１０は、任意に、方向トラックとも呼ぶことができる基準トラック１３２も有している。なぜならば、たとえば、この基準トラック１３２に含まれる情報を用いて、現在の移動の方向を決定することができるからである。基準トラック１３２は、順番にｙ方向に対して平行に配置され、順番に基準トラックモジュール１３４を有し、順番に少なくとも２つの状態をとることができる。図示されたバイナリの例において、これらは、同様にはっきりした２つの状態、すなわち「黒」および「白」の状態である。ここで、基準トラックモジュール１３４の周期性は、順番に、ｙ方向において、情報モジュール１１６および／またはクロックトラックモジュール１３０の周期性と同じであることが好ましく、基準トラックモジュール１３４は、ｙ方向において、クロックトラックモジュール１３０および／または情報モジュール１１６と同じモジュール高さ（図１においてＨで示される）を有していることが好ましい。しかし、基準トラック１３２は、クロックトラック１２８と比べて、および情報モジュール１１６と比べて位相シフトしている。これは、そのｙ座標について、基準トラックモジュール１３４の中央が、クロックトラックモジュール１３０の中央から、たとえばモジュール高さＨの半分だけ離れていることを意味している。例として、図１および２に示される例示の実施形態において、黒い基準トラックモジュール１３４の中央は、それぞれ、より小さいｙ座標の方向に、モジュール高さＨの半分だけ移されている。これは、以下でより詳細に説明する。
【００９７】
図２は、バーコード１１０を有する担体１１２がそれに対して移動するバーコードリーダ１２４の部分として、検出器１２２を象徴的に示している。示された例示の実施形態において、検出器１２２は全体として、例示的に、横列検出器１３６として具現化され、たとえば、個々の光学センサ１３８を有する横一列の光学センサを備え得る。しかし、原則として、たとえば、二次元に配置された光学センサ１３８を有する二次元検出器として具現化される検出器１２４によって、たとえばコンピュータマウスに通常使用される検出器の形で、他の実施形態も可能である。光学センサ１３８は、たとえば、ＣＣＤセンサとして具現化することができ、それで横列検出器１３６は、たとえば、横一列のＣＣＤセンサを備え得る。しかし、原則として、他の実施形態も可能である。
【００９８】
示された例示の実施形態において、担体１１２が移動方向１２０で移動する時に情報モジュール１１６がガイドされて通り過ぎる横列検出器１３６のそれらの光学センサ１３８は、バーコード検出器１４０と呼ばれる。担体１１２が移動する時にクロックトラック１２８を取り込むそれらの光学センサ１３８は、クロックトラック検出器１４２と呼ばれ、基準トラック１３２を取り込むそれらの光学センサ１３８は、基準検出器１４４と呼ばれる。図２に示されるように、これらの検出器１４０、１４２、１４４は、例示的に、別の検出器として具現化することができる。しかし、代わりとして、これらの検出器の２つが、たとえば、以下でより詳細に説明するように、クロックトラック検出器１４２が、バーコード検出器１４０の中に統合されるように、組み合わされて具現化することも可能である。
【００９９】
図３ａ〜３ｃを用いて、バーコード１１０およびモジュール１１４における情報の蓄積および情報の再生を議論する時に以下の本文で使用する異なる用語を説明する。上に示したように、バーコード１１０は、例示では、バイナリバーコードである。したがって、たとえば、低反射率を有し、図３ａ〜３ｃにおいて「低」モジュール１４６と呼ばれるモジュール１１４、および高反射率を有し、したがって、図３ａ〜３ｃにおいて「高」モジュール１４８と呼ばれるモジュール１１４が存在し得る。例として、低モジュール１４６が、「０」として解釈され、高モジュール１４８が、「１」として解釈され得る。これは、図３ａに例示的に示される。
【０１００】
図３ｂおよび３ｃは、低モジュール１４６から高モジュール１４８に移行する場合（図３ｂ）、および高モジュール１４８から低モジュールに移行する場合における（図３ｃ）クロックトラック検出器１４２からの信号を示している。ここで、状態の変化は、図３ａおよび３ｂにおいて、参照符号１５０によって象徴的に示している。そのような状態の変化は、クロックトラック検出器１４２が、クロックトラック１２８における２つのモジュール１３０間の移行部を通過する時に、担体１１２が移動方向１２０で移動する場合、必ず生じる。この例示の実施形態において、クロックトラック検出器１４２は、他の検出器１４０、１４４と同様に、バーコード１１０からの反射光を検出することが好ましい。しかし、上述したように、原則として、他の光学信号を検出することも可能である。状態の変化１５０に従って、その移行の間に反射光の強度に変化が生じ、その結果、クロックトラック検出器１４２からの信号において移行エッジ１５２を生じさせる。この移行エッジは、図３ｂの通りの移行の場合、ポジティブエッジ１５４として、図３ｃの通りの移行の場合、ネガティブエッジ１５６として具現化される。
【０１０１】
図４は、クロックトラック１２８について、横列検出器１３６（図４には示されていない）に対して担体１１２が移動する場合の、一連の状態の変化１５０を示している。ここで、状態の変化１５０は、それぞれ低モジュール１４６から高モジュール１４８への移行、またはその逆である。
【０１０２】
図５ａ〜５ｄは、本発明による方法の例示の実施形態を、クロックトラック検出器１４２および基準検出器１４４からの信号によりどのように移動方向１２０を割り出すことを可能にするのか、すなわちバーコードリーダ１２４に対する担体１１２の移動のサイン、より詳細には検出器１２２に対する、たとえば横列検出器１３６に対する担体１１２の移動のサインをどのように割り出すことを可能にするかについて説明する。この方法の目的は、バーコード１１０の横列１２６から、より詳細には情報フィールド１１８の横列１２６から情報を連続して読み出すこと、およびこの情報を正しいアドレスに割り当てること、すなわち、たとえば、情報フィールド１１８の内容が、その後、データ記憶装置に、横列カウンタに応じて正確に記憶することができるように、正しい横列カウンタアドレスを有するデータ記憶装置の記憶領域に割り当てることである。ここで、横列カウンタは、たとえば横列１２６のｙ軸上の絶対座標、またはこの値と同等であるカウンタを特定する。しかし、原則として、他の実施形態も可能である。
【０１０３】
クロックトラック検出器１４２からの信号は、それぞれ図５ａ〜５ｄの左手側に示している。ここで、例として、それは、示されるアルゴリズムによって評価されるこの信号の絶対値ではなく、むしろ、ここで移行エッジ１５２によって示されるこの信号の変化である。この隣には、基準トラックの状態１３２が、それぞれ大文字「Ｌ」または「Ｈ」で表されており、その状態は、図５ａ〜５ｄにおいては参照符号１５８として示されている。特に、これは、基準検出器１４４からの信号またはそこから引き出される信号の絶対値であり得る。この場合に、それは、特に考慮される、基準検出器１４４およびクロックトラック検出器１４２からの同時発生の信号、すなわち、上述の定義の意味の範囲内においてほぼ同時に生じる信号である。
【０１０４】
ここで、図５ａ〜５ｄのような、別の同時発生する信号が処理の中で生じ得る。状態の変化１５０が、クロックトラック１２８上に存在すれば、すなわち、クロックトラック検出器１４２が、２つのクロックトラックモジュール１３０の境界を通れば、以下のことが同時発生する。
【０１０５】
図５ａ：高から低への移行（すなわちネガティブエッジ）および基準トラック１３２の状態が低または０。これは、図１に基づいて容易に説明できるように、基準トラックモジュール１３４が、図１および２のように示された例示の実施形態において、クロックトラックモジュール１３０と比べて上側に変位された、たとえば、１モジュール高さ以下、好ましくはモジュール高さＨの半分の値だけ、担体１１２が、検出器１２２に対して上側に移動することを意味している。この点において、バーコード１１０の情報部分が記憶されるデータ記憶装置のアドレス、すなわち、それぞれのクロックトラックモジュール１３０に関連する横列の情報モジュール１１６の内容、すなわち横列カウンタがインクリメンタルに増加し、そこで、関連する横列のバーコード１１０の情報部分が、この記憶装置に書き込まれ得る。ここで、インクリメンタルな増加は、それぞれ、図５ａ〜５ｄにおいて、小文字のｉで示されており、横列カウンタの段階的な減少はｄにより示されている。
【０１０６】
図５ｂ：低から高への移行（すなわちポジティブエッジ）および基準トラック１３２の状態が高または１。この場合に、横列カウンタがインクリメンタルに増加して（ｉ）、そこで、バーコード１１０の情報部分が、記憶装置に書き込まれ得る。
【０１０７】
図５ｃ：高から低への移行（すなわちネガティブエッジ）および基準トラック１３２の状態が高または１。この場合に、横列カウンタがインクリメンタルに減少して（ｄ）、そこで、バーコード１１０の情報部分が、記憶装置に書き込まれ得る。
【０１０８】
図５ｄ：低から高への移行（すなわちポジティブエッジ）および基準トラック１３２の状態が低または０。この場合に、横列カウンタがインクリメンタルに増加して（ｄ）、そこで、バーコード１１０の情報部分が、記憶装置に書き込まれ得る。
【０１０９】
この機能的原理は、もう一度図６における例示的な図に基づいて説明されるべきである。担体１１２は、バーコード１１０が取り付けられ、例示的に、図１と同様に具現化されて、ここでもう一度図示される。ここで、担体１１２は、バーコードリーダ１２４の検出器１２２に対して、送り方向とも呼ぶことができる移動方向１２０において変位させられる。データ記憶装置１６０もまた図示されているが、そのデータ記憶装置１６０においては、検出器１２２によって読み出される、バーコード１１０の情報フィールド１１８の情報モジュール１１６に含まれる情報が、それぞれの横列１２６に対応し、それゆえに横列カウンタとも呼ぶことができるアドレス１６２において正確に記憶されるべきである。したがって、データ記憶装置１６０は、図示された例示の実施形態において、アドレス１６２のそれぞれの値について、５つの記憶領域を有している。なぜならば、５つの情報モジュール１１６は、図示された例示の実施形態において、例示的に、それぞれの横列１２６に提供されるからである。例示的に、図６のような例示の実施形態におけるアドレス１６２は、初期値−１から始まる。しかし、他の実施形態も可能であることは自明である。
【０１１０】
例として、担体１１２上のバーコード１１０は、横列検出器１３６によって読み出すことができる。他の実施形態も可能であり、上述の記載を参照できる。クロックトラック１２８は、移行エッジ１５２の記号により表される必要な状態の変化１５０を確実にする。クロックトラック１２８における状態の変化の後、または同時に読み取られる基準トラック１３２の状態１５８は、バーコード１１０の情報部分が読み込まれるデータ記憶装置１６０のアドレス１６２の状態と同じく、図６に同様に示される。
【０１１１】
図７ａ〜７ｏにおける状態の変化のシーケンスは、読み取りプログラムのシーケンスを説明するために使用される。ここで、図７ａ〜７ｈにおいて、バーコード１１０の担体１１２は、検出器１２２に対して図中上側に移送される。対照的に、図７ｉ〜７ｏにおいて、担体１１２は下側に移送される。すなわち図７ｈと７ｉの間において方向の変化が存在した。
【０１１２】
例として、図７ａに示されるように、出発点は、アドレス１６２の、すなわち横列カウンタのプリセット（プリセット値）−１値である。図７ｂにおいて、基準トラック１３２の同時低値とともに、ネガティブエッジが生じ、その結果として、横列カウンタ１６２は１だけ０値まで増加し、現在の横列の対応する情報は、この０値に関連するデータ記憶装置１６０の横列に読み込まれる。図７ｃにおいて、状態の変化が生じることなく、担体１１２は移動する。図７ｄにおいて、新しい状態の変化が生じる。この場合においては、基準検出器１４４からの信号の高値を伴った、クロックトラック検出器１４２からの信号におけるポジティブエッジである。もう一度、横列カウンタは、対応してインクリメンタルに１値まで増加して、その後、別の状態の変化まで読み取られるバーコード検出器１４０からの情報は、この１値に関連するデータ記憶装置１６０の横列に記憶される。図７ｅは、もう一度、クロックトラック検出器１４２からの信号において状態の変化１５０がない状態を図示している。それから、図７ｆにおいて、低状態を伴い、順番に、インクリメンタルな増加および対応する横列の読み取りにつながるネガティブエッジが存在する図７ｇにおいては、さらなる状態の変化はない。図７ｈにおいて、基準検出器１４４の「高」状態を伴い、順番に、横列カウンタ１６２のインクリメンタルな増加およびデータ記憶装置１６０の対応する横列に読み込まれるバーコード検出器１４０からの情報につながるポジティブエッジがもう一度生じる。
【０１１３】
上述したように、クロックトラック検出器１４２からの信号におけるネガティブエッジは、基準検出器１４４からの信号において高（Ｈ）状態を伴い、シーケンスの図示された例示の実施形態における図７ｈと７ｉの間で突然もう一度生じる。上述したように、これは、方向変化、すなわち、送りまたは移動方向１２０の反転の識別につながる。したがって、横列カウンタ１６２は、継続してインクリメンタルに増加するのではなく、インクリメンタルに減少する。バーコード検出器１４０から読み取れられる情報は、処分することができるか、またはデータ記憶装置１６０にすでに読み取られた横列（図７ｉにおいて斜体文字で表されている）の正確性の処理につなげることができる。このようにして、試験を行なうことができる。図７ｊにおいて、クロックトラック検出器１４２からの信号における状態の変化は、もう一度記録されることはなく、横列カウンタのアドレス１６２は変わらずに残る。図７ｋにおいて、低値を伴い、横列カウンタ１６２におけるさらなるインクリメンタルな減少につながるポジティブエッジがもう一度生じ、処理中またはその後、次の状態の変化１５０までに読み取られるバーコード検出器１４０からの情報内容は、データ記憶装置１６０におけるこの横列のすでに記憶されたデータをチェックするためにもう一度使用される。図７ｌにおいては、もう一度の状態の変化はない。図７ｍにおいて、高値を伴い、横列カウンタ１６２におけるさらなるインクリメンタルな減少につながるネガティブエッジがもう一度生じる。図７ｎにおいて、さらなる状態の変化はなく、図７ｏにおいて、低値を伴い、アドレス１６２のさらなるインクリメンタルなプリセット値−１への減少につながるポジティブエッジがもう一度存在する。横列カウンタ１６２のプリセット値にもう一度到達する時、たとえば、バーコード１１０の開始位置に到達したことを推測することができる。
【０１１４】
図１および２の通りの例示の実施形態において、情報フィールド１１８とクロックトラック１２８および／または基準トラック１３２とは、例示的に、クワイエットゾーン１６４によって互いに分離している。ここで、クワイエットゾーン１６４は、一般的に、クロックトラック１２８および／または基準トラック１３２が、情報フィールド１１８内の情報モジュール１１６に直接隣接しないような間隔を意味すると理解される。しかし、これは必ずしもそうではなく、クロックトラック１２８および／または基準トラック１３２は、全体的にまたは部分的に、情報フィールド１１８に統合することもできる。しかし、クロックトラック１２８および、任意に、基準トラック１３２も同様に、移動方向１２０に、クロックトラックモジュール１３０および、任意に、基準トラックモジュール１３４を有しており、それらのモジュールは、交互の情報内容、たとえば交互の黒および白モジュールまたは低および高モジュールを有し、好ましくは情報フィールド１１８の情報モジュール１１６と同じ周期性を有している。
【０１１５】
好ましくは、クロックトラック１２８に対して平行に配列されている、１つまたは２つ以上の追加の基準トラック１３２がこれまで開示されてなくても、クロックトラック１２８は、いくつかの従来の二次元バーコードにすでに含まれている。図８〜１１は、クロックトラック１２８が、バーコード１１０の情報フィールド１１８に統合されているバーコード１１０のさまざまな例示の実施形態を示している。これは、いわゆる「データマトリクス」バーコードの例を用いて例示的に図示することができる。
【０１１６】
このように、図８は、クロックトラック１２８が、たとえば、図１の通りの例示の実施形態におけるクロックトラック１２８と同じ特性を有し、最も外側の縦列としてすでに情報フィールド１１８に含まれている例示の実施形態を示す。さらに、これは、本発明の範囲内で詳細に考慮されるべきではないが、ｘ方向に追加のクロックトラック１６６が任意で存在する。さらに、最も外側の縦列は、任意で、長手方向バー１６８が作られるように、クロックトラック１２８に対向して横たわる長手方向側部に、ｙ方向が低値で完全に満たされている。同様に、情報フィールド１１８の最後の横列は、横方向バー１７０が作られるように、追加のクロックトラック１６６に対向して横たわる情報フィールド１１８の端部において、低値で完全に満たすことができる。長手方向バー１６８および横方向バー１７０は、ともに「Ｌ」を形成する。クワイエットゾーン１６４およびＬまたはＬの部分、たとえば単に長手方向バー１６８または横方向バー１７０は、黒／白バランスのために、および／または検出器１２２の配置のために使用することができる。
【０１１７】
単に基準トラック１３２は、図８のような例示の実施形態において、この情報フィールド１１８に追加される。例として、この基準トラックは、原則として、図１のような例示の実施形態に示されるように具現化され、好ましくは、クロックトラック１２８のモジュールとｙ方向で同じ周期性を有している。しかし、基準トラックは、このクロックトラック１２８と比べて、たとえばモジュール高さＨの半分の等しくない倍数だけ位相シフトしている。例として、これは、順番に、モジュール高さＨの半分、またはモジュール高さの半分の奇数倍の位相シフトであり得る。ｙ方向、すなわち最適な移動方向１２０に対して平行に伸び、方向トラックとしての働きをする基準トラック１３２は、クロックトラック１２８を有する情報フィールド１１８と基準トラック１３２の間のクワイエットゾーン１６４が維持されるように、順番に、この例示の実施形態におけるバーコード１１０に追加された。特に、これは、任意に、提案された方法を用いることさえなく、市販のリーダによっても読み取ることができる図示されたバーコード１１０の利点を提供する。
【０１１８】
図９は、二次元バーコード１１０が、原則として、図８の通りのバーコード１１０に対応する例示の実施形態を図示しているが、しかし、バーコード１１０を有する担体１１２は、図８の例示の実施形態と比べて１８０°だけ回転している。送り方向、すなわち移動方向１２０は、対照的に同じにとどまる。これは、バーコード１１０が逆順で読み取られることをこの意味する。この場合に、クワイエットゾーン１６４は、特に白値基準１７２として使用することができる。代わりとしてまたはそれに加えて、横方向バー１７０の上のさらなるクワイエットゾーン１７４は、白値基準１７２として使用することができる。横方向バー１７０自身は、黒値基準１７６として使用することができる。代わりとしてまたはそれに加えて、長手方向バー１６８も、黒値基準１７６として使用することができる。白値基準１７２および黒値基準１７６は、これらの基準から発生する光学信号（たとえば、これらの領域で反射された光線からの反射信号）の較正および／または調整のための評価の間に使用することができる。これは、たとえば、「高」信号および「低」信号の絶対値レベル、またはこれらの比を定めることを可能にする。例として、これは、適当な閾値を定めるのに使用することができ、その閾値によって、信号レベルをこれらの閾値と比較する適当な測定において、低モジュール１４６および高モジュール１４８を識別することができる。バーコード１１０は、図９のような例示の実施形態において、市販のリーダによって読み取ることもできる。
【０１１９】
図１０は、バーコード１１０のさらなる例示の実施形態を図示している。この例示の実施形態において、バーコード１１０は、例示的に、市販の二次元バーコードにほぼ対応している。もう一度、例示方式で、図９における例示の実施形態の通りの情報フィールド１１８と類似している実施形態を有している情報フィールド１１８が提供される。しかし、原則として、他の実施形態も可能である。
【０１２０】
バーコード１１０は、もう一度、情報フィールド１１８を有している。クロックトラック１２８は、例示的に、この情報フィールド１１８に統合される。しかし、原則として、たとえば図１の例示の実施形態と類似し、情報フィールド１１８とクロックトラック１２８の間にクワイエットゾーン１６４を有するクロックトラック１２８の別の実施形態も可能である。
【０１２１】
しかし、前の実施形態と対照的に、図１０のようなバーコード１１０は、別の基準トラック１３２を有していない。むしろ、位相オフセットしたクロックトラック信号および基準信号を生成する第２の前述の選択肢、すなわち、クロックトラック検出器１４２と比べて、ｙ方向で空間的にオフセットしている基準検出器１４４を用いることにより、クロックトラック１２８自身を基準トラック１３２として使用する選択肢が使用される。したがって、少なくとも１つの情報を伝送する装置１７８は、バーコードリーダ１２４およびバーコード１１０を有する担体１１２を備え、図１０において、例示的および非常に概略的に、図２または図６ですでに先で示されたのと同じような図で、図示されている。
【０１２２】
上述したように、別の基準トラック１３２は、バーコード１１０に提供されない；むしろ、クロックトラック１２８が、基準トラック１３２として同時に使用される。ここで、クロックトラック信号および基準トラック信号の間の位相シフトは、基準検出器１４４が、ｙ方向において、クロックトラック検出器１４２と比べて、オフセット１８０だけ空間的にオフセットしているという事実によって達成される。これは、位置空間における位相シフトと同等である。例として、位相シフトは、モジュール高さＨの等しくない倍数、たとえばオフセットΔ＝ｎ・２・Ｈ＋１／２・Ｈであり得る。したがって、これは、位相シフト、たとえば、周期に対して９０°の位相シフトをもたらす。ここで、ｎは整数である。
【０１２３】
従来のバーコード１１０の場合に生じる問題は、バーコード１１０の端部、すなわち図１０の下側端部に到達する時、非常に長さが短い実施形態を有するクロックトラック１２８である。これらの理由により、好ましくは、クロックトラック１２８は、本発明によるバーコード１１０のこの例示の実施形態、そうでなければ他の例示の実施形態において、クロックトラック検出器１４２に対して空間的にオフセットしている基準検出器１４４をともなって、移動方向１２０で情報フィールド１１８を越えて伸びており、その実施形態では、クロックトラック１２８が、基準トラック１３２として同時に使用される。これは、ｙ方向において、情報フィールド１１８の空間限界を越えて伸びる１つまたは２つ以上の追加クロックモジュール１８２が提供されることによってもたらされる。これは、クワイエットゾーン１６４に対する情報フィールド１１８周辺の少なくとも１つのモジュールの要求が合致できるように実現することもできる。これは、バーコード１１０が、図１０のような実施形態において、原則として、市販の検出器１２２によって読み取ることもできるからである。
【０１２４】
原則として、基準検出器１４４とクロックトラック検出器１４２の間のｙ方向での空間的なオフセットは、さまざまな方法で実現することができる。これは図１０に示されている。ここで、たとえば、もう一度横列検出器１３６を使用することができる。例として（他の例示の実施形態にもあるように）これは、二次元に配置された光学センサ１３８を有する二次元検出器フィールドが使用され、そのうちの単に１つの横列が横列検出器１３６として使用されるという事実によって実現することができる。しかし、原則として、純粋に単一の横列検出器を使用することも可能である。ｙ方向における基準検出器１４４オフセットを実現するために、さらなる検出器、たとえば単一で、空間的にオフセットした検出器を使用することもできる。しかし、代わりとしてまたはそれに加えて、横列検出器１３６の横列とは異なる二次元センサ配置の１つまたは２つ以上の光学センサ１３８を使用することもできる。
【０１２５】
図１０の通り例示の実施形態において、基準検出器１４４は、例示的に、クロックトラック検出器１４２と比べてｙ方向で単にオフセットしている。しかし、図１１に基づいて例示的に示されるように、これは必ずしもそうではない。ここで、少なくとも１つの基準検出器は、オフセット１８０だけｙ方向でオフセットしているだけでなく、例示的に、１モジュールだけｘ方向でオフセットしている。ここで、クロックトラック１２８は、図１１に示されるように、任意でｘ方向に、たとえば追加のモジュールだけ広げることもできる。
【０１２６】
図１２ａおよび１２ｂは、平面図（図１２ａ）または側面図（図１２ｂ）において、たとえば、図１１の通りの装置１７８で使用することができるバーコードリーダ１２４の例示の実施形態を示している。この例示の実施形態において、バーコードリーダ１２４は、より詳細には、バーコード１１０を有する担体１１２およびバーコードリーダ１２４（図１２ｂ参照）がともに高さｈ、たとえば、１０ｍｍ以下、好ましくは５ｍｍ以下の高さｈを有することができるように、光学式接触リーダ１８４として具現化することができる。
【０１２７】
図１２ａおよび１２ｂにおいて示された例示の実施形態において示されるものは、すべての検出器１４０、１４２および１４４が、適した光学ユニットを使用することによって、全体的にまたは部分的に同じ設計で具現化することもできる。この例示の実施形態において、検出器１４０、１４２および１４４は、例示的に、検出器１２２の１つおよび同じ横一列のセンサ１８６を使用する。この横一列のセンサ１８６は、順番に、たとえば図１１と同様に、複数の光学センサ１３８（図１２ａおよび１２ｂには示されていない）、たとえばバーコード１１０のモジュール１１６または１３０または１３４ごとの少なくとも１つの光学センサ１３８を備えている。ｘ方向におけるモジュールのモジュール幅は、好ましくは、光学センサ１３８の幅の整数倍である；原則として、これは、他の例示の実施形態のすべてに適用することもできる。
【０１２８】
図１２ａおよび１２ｂに示される例示の実施形態において、光学式接触リーダ１８４として具現化されるバーコードリーダ１２４は、１つまたは２つ以上の照明ユニット１８８を有し、それによってバーコード１１０を照らすことができる。例として、１つまたは２つ以上の発光ダイオード、発光ダイオードの横列、白熱灯または他のタイプの照明器具によって、照明１８８を実現することができる。特に、図１２ａおよび１２ｂにおいて示されるように、横列形状の照明、または１つまたは２つ以上の横列に配置することができる複数の個々の光源を使用することができる。
【０１２９】
この例示の実施形態において、照明１８８は、コード照明１９０と比べて、ｙ方向でのオフセットによって、オフセットして配置され、コード照明１９０および基準照明１９２に細分される。コード照明は、任意にクロックトラック１２８を含んでいる情報フィールド１１８を照らすために役立つが、基準照明１９２は、基準トラック１３２を照らすために役立つ。しかし、他の実施形態も可能であり、それで、たとえば、追加でクロック照明を提供することができ、または基準照明１９２を他にコード照明１９０に統合することができる。
【０１３０】
照明１８８によって発せられる光は、モジュール１１６、１３０、１３４の反射特性に従って、バーコード１１０上で反射される。反射光は、バーコードリーダ１２４で再び受けられる。これは、直接、または、反射光がバーコードリーダ１２４に再び入ることができる「窓」を通してもたらされ得る。図１２ａおよび１２ｂにおいて、そのようなウィンドウは、追加で、コード照明１９０からの反射光のためのコードウィンドウ１９４の形で、および基準照明１９２からの反射光のための基準ウィンドウ１９６の形で、追加で図示される。例として、これらのウィンドウ１９４、１９６は、バーコード１１０に面するバーコードリーダ１２４の表面における現実の開口部として具現化することができ、または単純な仮想の入口領域でもあり得る。同時に、これらの基準ウィンドウ１９６またはコードウィンドウ１９４は、それぞれの検出器の仮想のまたは現実の位置を表すことができ、すなわち、たとえば、コードウィンドウ１９４は、バーコード検出器１４０および／またはクロックトラック検出器１４２のそれぞれの位置を表すことができ、基準ウィンドウ１９６の位置は、基準検出器１４４の位置を表すことができる。したがって、コードウィンドウ１９４と基準ウィンドウ１９６の間のｙ方向での距離は、たとえば図１０および１１の実施形態の通りのオフセット１８０に対応し得る。代わりに、基準照明１９２からコード照明１９０のｙ方向での間隔は、オフセット１８０として考慮される可能性もある。
【０１３１】
図示された１２ａおよび１２ｂのような例示の実施形態において、画像光学ユニット１９８が、さらに任意のエレメントとして提供される。この画像光学ユニット１９８は、横一列のセンサ１８６のそれぞれの区画上のそれぞれのウィンドウ１９４、１９６の上に位置するバーコード１１０の領域からの反射光をガイドするおよび／または撮像するように具現化することができる。この目的のために、画像光学ユニット１９８は、たとえば１つまたは２つ以上の反射エレメント２００を備えている。図１２ｂにおいて、これらの反射エレメント２００は、例示方式で、プリズムとして具現化される。しかし、代わりとしてまたはそれに加えて、反射エレメント２００のうち１つまたは２つ以上は、別の形で、たとえばミラーまたは当業者に知られたのと同様の反射エレメントの形で具現化することができる。図示された例示の実施形態において、コード照明１９０から生じる反射光線を偏向させるためのコード反射エレメント２０２が提供され、基準照明１９２から水平方向で生じる反射光線を偏向させるための基準反射エレメント２０４が提供される。さらに、センサ反射エレメント２０６は、横一列のセンサ１８６上への光線をガイドするための横一列のセンサ１８６の上に提供される。
【０１３２】
さらに、画像光学ユニット１９８は、１つまたは２つ以上の光導波路エレメントおよび／または画像形成エレメントを備え得る。例として、これは、光導波路／レンズエレメントを、たとえば図１２および１２ｂで参照符号２０８によって示されるいわゆるロッドレンズの形で組み合わせることができる。例として、検出されるべきモジュール１１４ごとに、ｘ方向でそのロッドレンズ２０８のそれぞれ１つまたは２つ以上を提供することができる。例として、ロッドレンズ２０８は、いわゆる屈折率分布レンズとして具現化することができる。
【０１３３】
光学式接触リーダ１８４は、特に、図１２ａおよび１２ｂの通りのバーコードリーダ１２４の追加の実施形態によって、表すことができる。例として、光学式接触リーダは、ウィンドウ１９４および１９６、および基準検出器１４４の形の追加の光学センサエレメントをそれぞれ有し、オフセットした光入射（offset beam input）によって説明される。コードウィンドウ１９４は、コード照明１９０によって、そして関連する画像光学ユニット１９６を介して光学式の横一列のセンサ１８６上に撮像される。基準ウィンドウ１９６は、基準照明１９２によって順番に照らされ、同様に、関連する画像光学ユニット１９８を介して同じ光学式の横一列のセンサ１８６の他の部分上に撮像される。
【０１３４】
図１３は、本発明による装置１７８、バーコードリーダ１２４および担体１１２上のバーコード１１０のさらなる例示の実施形態を示しており、その実施形態においては、バーコードリーダ１２４が、図１０に示された例示の実施形態の代わりの実施形態を有している。この例示の実施形態において、検出器１２２は、二次元に（ｘ軸に対して平行におよびｙ軸に対して平行に）配列された複数の光学センサ１３８を有する光学式フィールドセンサ２１０を備えている。このフィールドセンサ２１０の２つの横一列のセンサ（すなわち、同じｙ座標を有するそれぞれのセンサ）は、ｙ方向で互いに対してオフセット１８０を有していて、横列検出器１３６として使用することができる。例として、光学式フィールドセンサ２１０は、ＣＣＤカメラチップおよび／または費用効果のあるマウスセンサであり得る。上側横列検出器１３６は、たとえば、図１０の記載と同様に、バーコード検出器１４０およびクロックトラック検出器１４２を設けることができるが、図１３における横列検出器１３６の下側の検出器は、基準検出器１４４を設けている。この２つの横列の実施形態の代わりとして、さらなる横列を使用することも可能である。横列検出器１３６のオフセット１８０は、たとえば、もう一度、図１０のようなオフセット１８０と同様に、選択することができる。例として、ｎ・Ｈ＋１／２・Ｈの条件を満足するオフセットを選択することが可能である。ここで、ｎは、順番に変わる整数であり得る。例として、このオフセットは、２Ｈの周期に対して９０°の位相シフト、または周期Ｈに対して１８０°の位相シフトに対応し得る。
【０１３５】
プッシュ型またはプル型リーダとして、すなわち、担体１１２が検出器１２２に対して移動するバーコードリーダ１２４として具現化されるバーコードリーダ１２４は、典型的には、担体１１２が移動するという観点から、ある程度の頭上スペースを要求する。これは、図１４に例示的に図示される。この頭上スペースを設けた結果として、横列１２６と、移動方向１２０に対して垂直に配列されたｘ軸との間に角度オフセットが生じ得る。これは、コードモジュール意図値２１２、すなわち実際に読み出されるべきモジュール１１４が、コードモジュール実績値２１４から離れているという事実によって表現される。例として、図１４において、白または高表示の形のコードモジュール意図値２１２が、誤って、横列検出器１３６によって、黒または低表示の形のコードモジュール実績値２１４として再現される。
【０１３６】
このエラーは、モジュール１１４が、高さ対幅比の点から、完全にまたは部分的に修正されるという事実によって低減することができる。このように、モジュール高さＨは、モジュール幅Ｂと比べて増加し得る。これは、図１５に例示的に図示される。図１５に基づいて識別することが可能なように、コードモジュール意図値２１２は、少なくともモジュール１１４のほぼ中央を読み出す場合において、コードモジュール実績値２１４に対応する。
【０１３７】
図１７は、図１５の実施形態に代わる、バーコード１１０および装置１７８の例示の実施形態を図示している。原則として、バーコード１１０は、たとえば、図１５と類似の実施形態を有し得る。しかし、代わりに、他の例示の実施形態は、図１７に示された概念の通りに修正することもできる。図１７のバーコード１１０は、図１４に基づいて記載された角度オフセットによるエラーによる影響が、自然に、移動方向１２０に垂直な方向におけるバーコード１１０の中央において最も小さくなるという発見を考慮している。したがって、図１７のような例示の実施形態において、クロックトラック１２８および／または追加の基準トラック１３２をバーコード１１０の中央に移動させることを提案する。これは、１つの方向が移動方向１２０に対して垂直であれば、クロックトラック１２８および、任意には、基準トラック１３２が、その両側で、情報モジュール１１６および情報フィールド１１８に囲まれる、すなわち、情報モジュール１１６のそれぞれ少なくとも１つの縦列が、その両側で、クロックトラック１２８および、任意には、基準トラック１３２に隣接することを意味している。クロックトラック１２８および、任意には、基準トラック１３２は、モジュール情報の取り込み時間に関与するので、トラック１２８および、任意には、１３２をコード中央に移動させる工程を有する図１７のような例示の実施形態は、正確な基準となるという利点を提供する。角度オフセットの影響は、自然に、コードの中央で最も小さくなることが期待される。
【０１３８】
原則として、図１７のような例示の実施形態は、本発明の他の例示の実施形態に転換することができる。このように、モジュール１１４が、移動方向１２０で細長い、すなわちモジュール幅Ｂを超えるモジュール高さＨを有している図１５の概念は、例示的に図１７で実行される。しかし、代わりに、他の実施形態、たとえば正方形モジュールを有する実施形態も可能である。さらに、たとえば図１１と同様に、位相オフセットを、代わりにまたは追加で、検出器１２２によって作ることもできるので、基準トラック１３２は必ずしも必要とされない。さらに、クロックトラック１２８および基準トラック１３２が互いに隣に配置されることは必須ではない。むしろ、情報モジュール１１６が、たとえば、これらのトラック１２８、１３２の間に位置することもできる。さまざまな他の実施形態が可能である。
【０１３９】
図１６は、最後に、概略断面図において、本発明による装置１７８の例示の実施形態を図示する。この例示の実施形態２１６において、装置は、例示的に、たとえば、血糖測定機器として具現化することができ、医療消耗品２１８、たとえば液体試料２２０を分析するテストストリップと相互作用するように構成される医療測定機器を備えている。テストストリップ自身は、たとえば、１つまたは２つ以上のテストフィールドが適用されるストリップ形状の担体２１２を備えている。テストフィールドは、図１６には示されておらず、たとえば、試料２２０内の少なくとも１つの検体を定性および／または定量検出のための１つまたは２つ以上の試験化学物質を備えている。
【０１４０】
例として、装置１７８は、担体２１２または医療消耗品２１８を受けるための少なくとも１つの受容部２２４が提供されるハウジング２２２を備え得る。例として、この受容部２２４は、受容部スロットを備え得る。例として、医療消耗品２１８を１つまたは２つ以上の接触表面２２８に電気的に接触させるための少なくとも１つの電気接点２２６をこの受容部２２４に提供することができる。この実施形態は、特に、医療消耗品２１８として電気化学テストストリップを使用する時に、実施可能である。しかし、代わりとしてまたはそれに加えて、これらは、たとえば、光学的に読み出すことができるテストストリップでもあり得る。例として、この場合に、電気接点２２６は、光学式リーダ、たとえば、１つまたは２つ以上のテストフィールドにおける、検体を突き止めることが可能な色変化を読み出すように構成される光学式リーダと置き換えることができる。
【０１４１】
さらに、図１６に示される例示の実施形態における装置１７８は、移動方向１２０において受容部２２４に挿入されるバーコード１１０を読み出すために構成される１つまたは２つ以上のバーコードリーダ１２４を備えている。バーコードリーダ１２４の可能な実施形態については、上述の実施形態または本発明の範囲内の他の可能な実施形態を参照できる。例として、バーコードリーダ１２４は、中央制御装置２３０に接続することができる。しかし、代わりとしてまたはそれに加えて、バーコードリーダ１２４の部品は、中央制御装置２３０および／または装置１７８の他の部分に実装することもできる。このように、たとえば、単にバーコードリーダ１２４の光学部品は、受容部２２４の領域に配置することができるだけであるが、バーコードリーダ１２４のデータ記憶装置および／または評価装置は、全体的にまたは部分的に、中央制御装置２３０に実装することができる。このように、たとえば、バーコードリーダ１２４の１つまたは２つ以上の評価装置は、ソフトウェアまたはハードウェア部品として、中央制御装置２３０に実装することができる。例として、中央制御装置２３０は、任意で１つまたは２つ以上の揮発性または不揮発性記憶素子を有するデータ処理装置を備え得る。さらに、装置１７８は、さらなる部品、たとえば評価装置２３２、たとえば装置１７８の実際の測定、たとえば検体検出を実行するように構成される評価装置２３２を備え得る。しかし、この評価装置２３２は、全体的にまたは部分的に、中央制御装置２３０に実装することもできる。中央制御装置２３０は、単一部品として具現化することができ、そうでなければ、多くの部分に具現化することができ、任意には装置１７８のさまざまな領域に分配することもできる。さらに、装置１７８は、１つまたは２つ以上の操作エレメント２３４、たとえばコマンドおよび／または制御データおよび／または他の情報の入力のための１つまたは２つ以上の操作エレメント２３４、および／または１つまたは２つ以上の表示装置２３６、たとえば１つまたは２つ以上のディスプレイを備え得る。原則として、他のタイプのユーザインターフェイスを使用することもできる。
【０１４２】
図１６に例示方式で示される、医療測定機器２１６および医療消耗品２１８、たとえば分析用テストエレメント２３８を有する装置において、バーコード１１０を有する医療消耗品２１８は、好ましくは、まったくの手による送りがなされるように手で受容部２２４に挿入される。この場合に、特に、本発明により具現化されたバーコードリーダ１２４を使用することが好都合である。上に示したように、バーコードリーダ１２４は、特に、移動方向１２０においてまたは移動方向１２０に対して担体１１２が移動する間、バーコード１１０が、１つまたは２つ以上の横列検出器１３６の形の１つまたは２つ以上の検出器１２２によって、一列づつ読み出されるように具現化することができる。この場合に、送りの間、特に手での送りの間において起こりうる異常に関して、上述の方法および上述の装置１７８が安定しているため、上で提案された方法は、特に有利なように認められる。
【符号の説明】
【０１４３】
１１０  バーコード
１１２  担体
１１４  モジュール
１１６  情報モジュール
１１８  情報フィールド
１２０  移動方向
１２２  検出器
１２４  バーコードリーダ
１２６  横列
１２８  クロックトラック
１３０  クロックトラックモジュール
１３２  基準トラック
１３４  基準トラックモジュール
１３６  横列検出器
１３８  光学センサ
１４０  バーコード検出器
１４２  クロックトラック検出器
１４４  基準検出器
１４６  低モジュール
１４８  高モジュール
１５０  状態の変化
１５２  移行エッジ
１５４  ポジティブエッジ
１５６  ネガティブエッジ
１５８  基準トラックの状態
１６０  データ記憶装置
１６２  アドレス
１６４  クワイエットゾーン
１６６  ｘ方向の追加クロックトラック
１６８  長手方向バー
１７０  横方向バー
１７２  白値基準
１７４  さらなるクワイエットゾーン
１７６  黒値基準
１７８  情報伝送用装置
１８０  オフセット
１８２  追加クロックモジュール
１８４  光学式接触リーダ
１８６  横一列のセンサ
１８８  照明
１９０  コード照明
１９２  基準照明
１９４  コードウィンドウ
１９６  基準ウィンドウ
１９８  画像光学ユニット
２００  反射エレメント
２０２  コード反射エレメント
２０４  基準反射エレメント
２０６  センサ反射エレメント
２０８  ロッドレンズ
２１０  光学式フィールドセンサ
２１２  コードモジュール意図値
２１４  コードモジュール実績値
２１６  医療測定機器
２１８  医療消耗品
２２０  試料
２２２  ハウジング
２２４  受容部
２２６  電気接点
２２８  接触表面
２３０  中央制御装置
２３２  評価装置
２３４  操作エレメント
２３６  表示装置
２３８  分析用テストエレメント
【図１】
0005847183.tif 000002
【図２】
0005847183.tif 000003
【図３ａ】
0005847183.tif 000004
【図３ｂ】
0005847183.tif 000005
【図３ｃ】
0005847183.tif 000006
【図４】
0005847183.tif 000007
【図５ａ】
0005847183.tif 000008
【図５ｂ】
0005847183.tif 000009
【図５ｃ】
0005847183.tif 000010
【図５ｄ】
0005847183.tif 000011
【図６】
0005847183.tif 000012
【図７ａ】
0005847183.tif 000013
【図７ｂ】
0005847183.tif 000014
【図７ｃ】
0005847183.tif 000015
【図７ｄ】
0005847183.tif 000016
【図７ｅ】
0005847183.tif 000017
【図７ｆ】
0005847183.tif 000018
【図７ｇ】
0005847183.tif 000019
【図７ｈ】
0005847183.tif 000020
【図７ｉ】
0005847183.tif 000021
【図７ｊ】
0005847183.tif 000022
【図７ｋ】
0005847183.tif 000023
【図７Ｌ】
0005847183.tif 000024
【図７ｍ】
0005847183.tif 000025
【図７ｎ】
0005847183.tif 000026
【図７ｏ】
0005847183.tif 000027
【図８】
0005847183.tif 000028
【図９】
0005847183.tif 000029
【図１０】
0005847183.tif 000030
【図１１】
0005847183.tif 000031
【図１２ａ】
0005847183.tif 000032
【図１２ｂ】
0005847183.tif 000033
【図１３】
0005847183.tif 000034
【図１４】
0005847183.tif 000035
【図１５】
0005847183.tif 000036
【図１６】
0005847183.tif 000037
【図１７】
0005847183.tif 000038